(57)【要約】【課題】遊技台を構成する正規品の装置を、正規品でない装置に交換されづらくすること。【解決手段】第一の回路手段を備えた装置、第二の回路手段、第一の回路手段と第二の回路手段とを電気的に接続する複数の配線および複数のカバー部材を備えた遊技台であって、複数の配線は、第一、第二の配線を含み、第一の配線は第一のコネクタを、第二の配線は第二のコネクタを備え、第二の回路手段は、第一のコネクタと嵌合する第三のコネクタと、第二のコネクタと嵌合する第四のコネクタと、を備え、複数のカバー部材は、第一のカバー部材と第二のカバー部材とを含み、第一のカバー部材は、第三のコネクタから第一のコネクタが取り外されることを防ぐカバー部材であり、第二のカバー部材は、第四のコネクタから第二のコネクタが取り外されることを防ぐカバー部材である。【選択図】  図２４
2018019924.tif 000002
【特許請求の範囲】
【請求項１】
第一の回路手段を備えた装置と、
第二の回路手段と、
前記第一の回路手段と前記第二の回路手段とを電気的に接続する複数の配線と、
複数のカバー部材と、
を備えた遊技台であって、
前記複数の配線は、第一の配線と、該第一の配線とは異なる第二の配線と、を含むものであり、
前記第一の配線は、第一のコネクタを備えたものであり、
前記第二の配線は、第二のコネクタを備えたものであり、
前記第二の回路手段は、前記第一のコネクタと嵌合する第三のコネクタと、前記第二のコネクタと嵌合する第四のコネクタと、を備えたものであり、
前記複数のカバー部材は、第一のカバー部材と、該第一のカバー部材とは異なる第二のカバー部材と、を含むものであり、
前記第一のカバー部材は、前記第三のコネクタから前記第一のコネクタが取り外されることを防ぐカバー部材であり、
前記第二のカバー部材は、前記第四のコネクタから前記第二のコネクタが取り外されることを防ぐカバー部材である、
ことを特徴とする遊技台。
【請求項２】
請求項１に記載の遊技台であって、
前記第二の回路手段は、前記第三のコネクタおよび前記第四のコネクタの双方が実装される回路基板を有するものである、
ことを特徴とする遊技台。
【請求項３】
請求項１または請求項２に記載の遊技台であって、
前記第二の回路手段は、回路取付部材に取り付けられており、
前記第一のカバー部材は、第一の部分を有し、
前記第二のカバー部材は、第二の部分を有し、
前記第二の回路手段は、前記回路取付部材と前記第一の部分および前記第二の部分との間に位置し、
前記第一のカバー部材または前記第二のカバー部材の少なくとも一方の部材は、前記第二の回路手段と前記回路取付部材との間に位置する第三の部分を有する、
ことを特徴とする遊技台。
【請求項４】
請求項１乃至請求項３のうちのいずれか一項に記載の遊技台であって、
投入された遊技媒体が正規なものであるか否かを判別するセレクタを備え、
前記装置は、前記セレクタである、
ことを特徴とする遊技台。
【請求項５】
請求項１乃至請求項４のうちのいずれか一項に記載の遊技台であって、
前記装置は、前記第一の回路手段を収容するケースを備え、
前記ケースは、前記複数の配線が通過する少なくとも一つの開口部を有する、
ことを特徴とする遊技台。
【発明の詳細な説明】
【技術分野】
【０００１】
本発明は回胴遊技機（スロットマシン）や弾球遊技機（ぱちんこ機）に代表される遊技台に関する。
【背景技術】
【０００２】
スロットマシンなどの遊技台において、メダルセレクタ等の装置は制御部から離れた位置に配設されている場合がある。このため、装置内の回路と制御部の回路とは配線（ハーネス）を利用して接続されている（例えば特許文献１）。
【先行技術文献】
【特許文献】
【０００３】
【特許文献１】特開２０１１−２３５００２号公報
【発明の概要】
【発明が解決しようとする課題】
【０００４】
遊技台に取り付けられている正規品を、偽造品あるいは改造品に交換される不正行為が行われる場合がある。メダルセレクタ等の装置は、その対象になる場合があり、制御部の回路側のコネクタから配線のコネクタを取り外して正規品が交換される虞がある。
【０００５】
本発明の目的は、遊技台を構成する正規品の装置を、正規品でない装置に交換されづらくすることにある。
【課題を解決するための手段】
【０００６】
本発明によれば、
第一の回路手段を備えた装置と、
第二の回路手段と、
前記第一の回路手段と前記第二の回路手段とを電気的に接続する複数の配線と、
複数のカバー部材と、
を備えた遊技台であって、
前記複数の配線は、第一の配線と、該第一の配線とは異なる第二の配線と、を含むものであり、
前記第一の配線は、第一のコネクタを備えたものであり、
前記第二の配線は、第二のコネクタを備えたものであり、
前記第二の回路手段は、前記第一のコネクタと嵌合する第三のコネクタと、前記第二のコネクタと嵌合する第四のコネクタと、を備えたものであり、
前記複数のカバー部材は、第一のカバー部材と、該第一のカバー部材とは異なる第二のカバー部材と、を含むものであり、
前記第一のカバー部材は、前記第三のコネクタから前記第一のコネクタが取り外されることを防ぐカバー部材であり、
前記第二のカバー部材は、前記第四のコネクタから前記第二のコネクタが取り外されることを防ぐカバー部材である、
ことを特徴とする遊技台が提供される。
【発明の効果】
【０００７】
本発明によれば、遊技台を構成する正規品の装置を、正規品でない装置に交換されづらくすることができる。
【図面の簡単な説明】
【０００８】
【図１】実施形態のスロットマシンの斜視図。
【図２】実施形態のスロットマシンの前面扉を開いた状態の正面図。
【図３】実施形態のスロットマシンの制御部のブロック図。
【図４】各リールに施される図柄の配列を平面的に展開して示した図および図柄名称の説明図。
【図５】主制御部メイン処理の流れを示すフローチャート。
【図６】主制御部タイマ割込処理の流れを示すフローチャート。
【図７】（ａ）は、第一副制御部のメイン処理のフローチャート、（ｂ）は、第一副制御部のコマンド受信割込処理のフローチャート、（ｃ）は、第一副制御部のタイマ割込処理のフローチャート。
【図８】（ａ）は、第二副制御部のメイン処理のフローチャート、（ｂ）は、第二副制御部のコマンド受信割込処理のフローチャート、（ｃ）は、第二副制御部のタイマ割込処理のフローチャート、（ｄ）は、第二副制御部の画像制御処理のフローチャート。
【図９】前面扉の背面に設けられる構成の説明図。
【図１０】固定部材の背面図。
【図１１】（ａ）および（ｂ）は二つの基板収容ケースの説明図。
【図１２】（ａ）および（ｂ）は二つの基板収容ケースの説明図。
【図１３】（ａ）および（ｂ）は二つの基板収容ケースの説明図。
【図１４】固定部材に対する基板収容ケースの取付方法を示す説明図。
【図１５】（ａ）〜（ｆ）は固定部材に対する基板収容ケースの着脱態様を示す説明図。
【図１６】固定部材に対する基板収容ケースの装着態様を示す説明図。
【図１７】（ａ）は基板収容ケースの接続態様を示す説明図、（ｂ）は図１７（ａ）のＡ−Ａ線断面図。
【図１８】図１７（ｂ）のａ部拡大図。
【図１９】不正部材による不正行為例の説明図。
【図２０】（ａ）は別例の基板収容ケースの接続態様を示す説明図、（ｂ）は図２０（ａ）のＢ−Ｂ線断面図。
【図２１】図２１（ｂ）のｂ部拡大図。
【図２２】（ａ）〜（ｂ）は別例の各基板収容ケースの説明図。
【図２３】（ａ）および（ｂ）は図２２の基板収容ケースの接続態様を示す説明図。
【図２４】固定部材におけるカバー部材の装着態様を示す説明図。
【図２５】固定部材、コネクタカバー部材、扉基板、基板カバー部材の分解斜視図。
【図２６】（ａ）〜（ｄ）はコネクタカバー部材の説明図。
【図２７】（ａ）〜（ｄ）はコネクタカバー部材の説明図。
【図２８】扉基板に対する配線の接続態様を示す説明図。
【図２９】基板カバー部材を取り外した状態を示す図。
【図３０】コネクタカバー部材の一部を破断した例を示す説明図。
【図３１】コネクタカバー部材の一部を破断した例を示す説明図。
【図３２】コネクタカバー部材の一部の部材を取り外した態様を示す説明図。
【図３３】破断の痕跡が残った例を示す説明図。
【図３４】図３４のｃ部およびｄ部拡大図。
【図３５】（ａ）および（ｂ）はメダルセレクタの内部回路基板に対する配線の接続例を示す図。
【発明を実施するための形態】
【０００９】
＜全体構造＞
図１は本発明の一実施形態の係るスロットマシン１００の斜視図である。図１に示すスロットマシン１００は、本体１０１と、本体１０１の正面に取付けられ、本体１０１に対して開閉可能な前面扉１０２と、を備える。本体１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１０】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。つまり、各リール１１０乃至１１２は複数種類の図柄の組合せを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１１】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１２】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを有効な入賞ラインとして設定してもよく、ベット数に関係なく、一律に同一数の入賞ラインを有効な入賞ラインとして設定してもよい。
【００１３】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１４】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１５】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１６】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１７】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００１８】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００１９】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２０】
音孔１４３はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（演出画像表示装置）を備えており、右シャッタ１６３ａ、左シャッタ１６３ｂが演出画像表示装置１５７の手前で水平方向外側に開くと演出画像表示装置１５７（図示省略）の表示画面がスロットマシン１００正面（遊技者側）に出現する構造となっている。なお、液晶表示装置でなくとも、種々の演出画像や種々の遊技情報を表示可能な表示装置であればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２１】
＜内部構造＞
図２は、本実施形態におけるスロットマシン１００の前面扉１０２を開けた状態を示す図である。本体１０１は、上面板２６１、左側の側面板２６０、右側の側面板２６０、下面板２６４および背面板２４２で囲われ、前面に開口する箱体である。背面板２４２の上部には換気孔２４９が形成されている。
【００２２】
本体１０１の内部には、内部に主制御基板を収容した主制御基板収容ケース２１０が背面板に配置され、中央部には３つのリール１１０〜１１２が配置されている。主制御基板とは後述する主制御部３００を構成する回路基板である。向かって右側の側面板２６０には、主制御基板に接続されて、スロットマシン１００の情報を外部装置に出力する外部集中端子板２４８が取り付けられている。
【００２３】
そして、下面板２６４には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して後述する各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２４】
メダル払出装置１８０の右側には、メダル補助収納庫２４０が配設してあり、この背後にはオーバーフロー端子が配設されている（図示省略）。電源装置２５２には、電源コード２６４を接続する電源コード接続部が設けられ、ここに接続された電源コード２６４が、本体１０１の背面板２４２に開設した電源コード用穴２６２を通して外部に延出している。
【００２５】
前面扉１０２の背面には、基板ユニット１０２ａが配設されている。基板ユニット１０２ａは、内部に第一副制御基板を収容した第一副制御基板収容ケース２（以下、単に基板収容ケース２と呼ぶ場合がある。）と、内部に第二副制御基板を収容した第二副制御基板収容ケース３（以下、単に基板収容ケース３と呼ぶ場合がある。）が配置されている。第一副制御基板とは後述する第一副制御部４００を構成する回路基板である。第二副制御基板とは後述する第二副制御部５００を構成する回路基板である。
【００２６】
基板収容ケース２および３は、前面扉１０２を閉じた状態の時に主制御基板収容ケース２１０と向かい合う位置に配置されている。基板収容ケース２には、基板収容ケース２に収容される第一副制御部４００の回路（例えば基本回路４０２）を冷却する冷却装置７が設けられている。本実施形態の場合、冷却装置７はファンであり、冷却装置７のことをファン７と呼ぶ場合がある。
【００２７】
前面扉１０２には、前述した３つのリール１１０〜１１２を前面から視認させることが可能な図柄表示窓１１３を備える。図柄表示窓１１３の下部には後述する扉回路基板６００（図２では不図示））を覆うカバー部材４、扉部材のコネクタ部分を覆うカバー部材５および６が配置されている。
【００２８】
基板ユニット１０２ａは、基板収容ケース２および３、扉回路基板６００、カバー部材４〜６を支持する固定部材１を有する。図柄表示窓１１３は固定部材１の開口により形成されている。固定部材１は扉回路基板６００が取付けられる点で回路基板取付部材である。また、本実施形態の場合、後述する演出画像表示装置１５７（図２では不図示））の背面が固定部材１に支持され、固定部材１は演出画像表示装置１５７を背面→正面方向に押さえ付ける押さえ部材である。
【００２９】
図柄表示窓１１３の下部には、投入されたメダルを選別するためのメダルセレクタ１７０、このメダルセレクタ１７０が不正なメダル等をメダル受皿１６１に落下させる際にメダルが通過する通路２６６等を設けている。さらに、下部の音孔１４３に対応する位置には低音スピーカ２７７を設けている。
【００３０】
＜制御部＞
図３を用いて、スロットマシン１００の制御部の制御部の回路構成について詳細に説明する。なお、同図は制御部の回路ブロック図を示したものである。
【００３１】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第一副制御部４００と、第一副制御部４００より送信されたコマンドに基づいて各種機器を制御する第二副制御部５００と、によって構成されている。
【００３２】
＜主制御部＞
まず、スロットマシン１１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、ＷＤＴ（ウォッチドッグタイマ）３１４を搭載している。基本回路３０２は本実施形態の場合、ワンチップマイコンなどのマイクロプロセッサである。
【００３３】
なお、ＲＯＭ３０６やＲＡＭ３０８については他の記憶装置を用いてもよく、この点は後述する第一副制御部４００や第二副制御部５００についても同様である。この基本回路３０２のＣＰＵ３０４は、水晶発振器３１４が出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４が出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００３４】
主制御部３００は、０〜６５５３５の範囲で数値を変動させるハードウェア乱数カウンタとして使用している乱数発生回路３１６と、電源が投入されると起動信号（リセット信号）を出力する起動信号出力回路３３８を備えており、ＣＰＵ３０４は、この起動信号出力回路３３８から起動信号が入力された場合に、遊技制御を開始する（後述する主制御部メイン処理を開始する）。
【００３５】
また、主制御部３００には、センサ回路３２０を備えており、ＣＰＵ３０４は、割り込み時間ごとに各種センサ３１８（ベットボタン１３０センサ、ベットボタン１３１センサ、ベットボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。
【００３６】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００３７】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、および、ストップボタン１３９は、各々のストップボタン１３７乃至１３９に設置されており、遊技者によるストップボタンの操作を検出する。
【００３８】
ベットボタン１３０センサ、ベットボタン１３１センサ、および、ベットボタン１３２センサは、メダル投入ボタン１３０乃至１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３９】
リール１１０のインデックスセンサ、リール１１１のインデックスセンサ、および、リール１１２のインデックスセンサは、各リール１１０乃至１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットする。
【００４０】
主制御部３００は、リール装置１１０乃至１１２に設けたステッピングモータを駆動する駆動回路３２２、投入されたメダルを選別するメダルセレクタ１７０に設けたソレノイドを駆動する駆動回路３２４、メダル払出装置１８０に設けたモータを駆動する駆動回路３２６、各種ランプ３３８（入賞ライン表示ランプ１２０、告知ランプ１２３、遊技メダル投入可能ランプ１２４、再遊技ランプ１２２、遊技メダル投入ランプ１２９は、遊技開始ランプ１２１、貯留枚数表示器１２５、遊技情報表示器１２６、払出枚数表示器１２７）を駆動する駆動回路３２８を備えている。
【００４１】
また、基本回路３０２には、情報出力回路３３４を接続しており、主制御部１３００は、この情報出力回路３３４を介して、外部のホールコンピュータ（図示省略）等が備える情報入力回路６５２にスロットマシン１００の遊技情報（例えば、遊技状態）を出力する。
【００４２】
また、主制御部３００は、電源管理部（図示しない）から主制御部３００に供給している電源の電圧値を監視する電圧監視回路３３０を備えており、電圧監視回路３３０は、電源の電圧値が所定の値（例えば９ｖ）未満である場合に電圧が低下したことを示す低電圧信号を基本回路３０２に出力する。
【００４３】
また、主制御部３００は、第一副制御部４００にコマンドを送信するための出力インタフェースを備えており、第一副制御部４００との通信を可能としている。なお、主制御部３００と第一副制御部４００との情報通信は一方向の通信であり、主制御部３００は第一副制御部４００にコマンド等の信号を送信できるように構成しているが、第一副制御部４００からは主制御部３００にコマンド等の信号を送信できないように構成している。
【００４４】
＜副制御部＞
次に、スロットマシン１００の第一副制御部４００について説明する。第一副制御部４００は、主制御部３００が送信した制御コマンドを入力インタフェースを介して受信し、この制御コマンドに基づいて第一副制御部４００の全体を制御する基本回路４０２を備えており、この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２は本実施形態の場合、ワンチップマイコンなどのマイクロプロセッサである。
【００４５】
基本回路４０２のＣＰＵ４０４は、水晶発振器４１４が出力する所定周期のクロック信号をシステムクロックとして入力して動作する。ＲＯＭ４０６は、第一副制御部４００の全体を制御するための制御プログラム及びデータ、バックライトの点灯パターンや各種表示器を制御するためのデータ等を記憶する。
【００４６】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００４７】
また、第一副制御部４００には、音源ＩＣ４１８を設けており、音源ＩＣ４１８に出力インタフェースを介してスピーカ２７２、２７７を設けている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００４８】
また、第一副制御部４００には、駆動回路４２２が設けられ、駆動回路４２２に入出力インタフェースを介して各種ランプ４２０（上部ランプ、下部ランプ、サイドランプ１４４、タイトルパネル１６２ランプ、等）が接続されている。
【００４９】
また、第一副制御部４００には、シャッタ１６３のモータを駆動する駆動回路４２４を設けており、この駆動回路４２４は、ＣＰＵ４０４からの命令に応じてシャッタ１６３に設けたステッピングモータ（図示省略）に駆動信号を出力する。
【００５０】
また、第一副制御部４００には、センサ回路４２６を設けており、センサ回路４２６には入力インタフェースを介してシャッタセンサ４２８を接続している。ＣＰＵ４０４は、割り込み時間ごとにシャッタセンサ４２８の状態を監視している。
【００５１】
また、ＣＰＵ４０４は、出力インタフェースを介して第二副制御部５００へ信号の送受信を行う。第二副制御部５００は、演出画像表示装置１５７の表示制御を含む演出装置１６０の各種制御を行う。なお、第二副制御部５００は、例えば、演出画像表示装置１５７の表示の制御を行う制御部、各種演出用駆動装置の制御を行う制御部（例えば、シャッタ１６３のモータ駆動を制御する制御部）とするなど、複数の制御部で構成するようにしてもよい。
【００５２】
第二副制御部５００は、第一副制御部４００が送信した制御コマンドを入力インタフェースを介して受信し、この制御コマンドに基づいて第二副制御部５００の全体を制御する基本回路５０２を備えており、この基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２と、を搭載している。基本回路５０２は本実施形態の場合、ワンチップマイコンなどのマイクロプロセッサである。
【００５３】
基本回路５０２のＣＰＵ５０４は、水晶発振器５１４が出力する所定周期のクロック信号をシステムクロックとして入力して動作する。ＲＯＭ５０６は、第二副制御部５００の全体を制御するための制御プログラム及びデータ、画像表示用のデータ等を記憶する。
【００５４】
ＣＰＵ５０４は、所定のタイミングでデータバスを介してＲＯＭ５０６の所定エリアに格納された分周用のデータをカウンタタイマ５１２に送信する。カウンタタイマ５１２は、受信した分周用のデータを基に割り込み時間を決定し、この割り込み時間ごとに割り込み要求をＣＰＵ４０４に送信する。ＣＰＵ５０４は、この割込み要求のタイミングをもとに、各ＩＣや各回路を制御する。
【００５５】
また、第二副制御部５００には、ＶＤＰ５３４（ビデオ・ディスプレイ・プロセッサー）を設けており、このＶＤＰ５３４には、バスを介してＲＯＭ５０６、ＶＲＡＭ５３６が接続されている。ＶＤＰ５３４は、ＣＰＵ５０４からの信号に基づいてＲＯＭ５０６に記憶された画像データ等を読み出し、ＶＲＡＭ５３６のワークエリアを使用して表示画像を生成し、演出画像表示装置１５７に画像を表示する。
【００５６】
また、第二副制御部５００には冷却装置７を駆動する駆動回路５１３を設けており、駆動回路５１３は、ＣＰＵ５０４からの命令に応じて冷却装置７を駆動する。冷却装置７はスロットマシン１００の電源ＯＮ時に常時駆動されてもよい。
【００５７】
＜図柄配列＞
図４を用いて、上述の各リール１１０乃至１１２に施される図柄配列について説明する。なお、同図は、各リール（左リール１１０、中リール１１１、右リール１１２）に施される図柄の配列を平面的に展開して示した図および図柄名称の説明図である。
【００５８】
各リール１１０乃至１１２には、同図の右側に示す複数種類（本実施形態では９種類）の図柄が所定コマ数（本実施形態では、番号０〜２０の２１コマ）だけ配置されている。また、同図の左端に示した番号０〜２０は、各リール１１０乃至１１２上の図柄の配置位置を示す番号である。例えば、本実施形態では、左リール１１０の番号１のコマには「スイカ２」の図柄、中リール１１１の番号０のコマには「ベル」の図柄、右リール１１２の番号２のコマには「セブン１」の図柄、がそれぞれ配置されている。
【００５９】
＜入賞役の種類＞
次に、スロットマシン１００の入賞役の例について説明する。スロットマシン１００の入賞役には、ビッグボーナス（ＢＢ）と、レギュラーボーナス（ＲＢ）と、小役と、再遊技（リプレイ）を含むことができる。なお、入賞役の種類は、これに限定されるものではなく、任意に採用できることは言うまでもない。
【００６０】
「ビッグボーナス（ＢＢ）」は、入賞により特別遊技であるビッグボーナス遊技（ＢＢ遊技）が開始される特別役（作動役）である。対応する図柄組合せは、例えば、「セブン１−セブン１−セブン１」、或いは、「セブン２−セブン２−セブン２」とすることができる。ＢＢについてはフラグ持越しを行うことができる。すなわち、ＢＢに内部当選すると、これを示すフラグが立つ（主制御部３００のＲＡＭ３０８の所定のエリア内に記憶される）が、その遊技においてＢＢに入賞しなかったとしても、入賞するまで内部当選を示すフラグが立った状態が維持され、次遊技以降でもＢＢに内部当選中となり、ＢＢに対応する図柄組み合わせが、揃って入賞する状態にある。
【００６１】
「レギュラーボーナス（ＲＢ）」は、入賞によりレギュラーボーナス遊技（ＲＢ遊技）が開始される特別役又は特殊役（作動役）である。対応する図柄組合せは、例えば、「ＢＡＲ−ＢＡＲ−ＢＡＲ」とすることができる。ＲＢについても上述のＢＢと同様にフラグ持越しを行うことができる。但し、ビッグボーナス遊技（ＢＢ遊技）においては、レギュラーボーナス遊技（ＲＢ遊技）が内部当選することや、図柄組み合わせが入賞ライン上に表示されること、を開始条件とせずに、ビッグボーナス遊技の開始後からレギュラーボーナス遊技を開始し、１回のレギュラーボーナス遊技を終了した場合には次のレギュラーボーナス遊技をすぐに開始するような自動的にレギュラーボーナス遊技を開始させる設定としてもよい。
【００６２】
「小役」は、入賞により所定数のメダルが払い出される入賞役で、対応する図柄組合せは、例えば、「チェリー−ＡＮＹ−ＡＮＹ」、「スイカ−スイカ−スイカ」、「ベル−ベル−ベル」である。「チェリー−ＡＮＹ−ＡＮＹ」の場合、左リール１１０の図柄が「チェリー」であればよく、中リール１１１と右リール１１２の図柄はどの図柄でもよい。
【００６３】
「再遊技（リプレイ）」は、入賞により次回の遊技でメダル（遊技媒体）の投入を行うことなく遊技を行うことができる再遊技役（作動役）であり、メダルの払出は行われない。対応する図柄組合せは、例えば、「リプレイ−リプレイ−リプレイ」である。
【００６４】
＜遊技状態の種類＞
次に、スロットマシン１００の遊技状態の種類について説明する。遊技状態とは、抽選などにおいて選択する抽選データの種別を識別するための情報である。本実施形態では、スロットマシン１００の遊技状態は、通常遊技と、ＢＢ遊技と、ＲＢ遊技と、ビッグボーナス（ＢＢ）およびレギュラーボーナス（ＲＢ）の内部当選遊技と、に大別した。但し、内部当選遊技は、通常遊技に含まれる区分けであってもよい。
【００６５】
＜通常遊技＞
通常遊技に内部当選する入賞役には、ビッグボーナス（ＢＢ）と、レギュラーボーナス（ＲＢ）と、再遊技（リプレイ）と、小役（チェリー、スイカ、ベル）がある。
【００６６】
「ビッグボーナス（ＢＢ）」は、入賞により特別遊技であるビッグボーナス遊技（ＢＢ遊技）が開始される特別役（作動役）である。レギュラーボーナス（ＲＢ）」は、入賞によりレギュラーボーナス遊技（ＲＢ遊技）を開始する特別役又は特殊役（作動役）である。「再遊技（リプレイ）」は、入賞により次回の遊技でメダルの投入を行うことなく遊技を行うことができる入賞役（作動役）であり、メダルの払出も行われない。「小役」は、入賞により所定数のメダルが払い出される入賞役である。なお、各々の役の内部当選確率は、通常遊技に用意された抽選データから、各々の役に対応付けされた抽選データの範囲に該当する数値データを、内部抽選時に取得される乱数値の範囲の数値データ（例えば６５５３５）で除した値で求められる。通常遊技に用意された抽選データは、予めいくつかの数値範囲に分割され、各数値範囲に各々の役やハズレを対応付けしている。内部抽選を実行した結果得られた乱数値が、何れの役に対応する抽選データに対応する値であったかを判定し、内部抽選役を決定する。この抽選データは少なくとも１つの役の当選確率を異ならせた設定１〜設定６が用意され、遊技店の係員等はいずれかの設定値を任意に選択し、設定することができる。
【００６７】
通常遊技は、内部抽選の結果が概ねハズレ（ビッグボーナス（ＢＢ）、レギュラーボーナス（ＲＢ）、再遊技（リプレイ）および小役に当選していない）となる設定、又は、停止表示結果がいずれの役の図柄組合せに該当しないハズレの停止表示結果が概ね導出される設定がされており、獲得するメダルの総数が、投入したメダルの総数に満たない遊技状態になっている。よって、遊技者にとっては不利益となる遊技状態である。但し、予め定めた条件を満たした場合（例えば、特定の図柄組み合わせが表示された場合）には、再遊技の内部当選の確率を上昇させる変動をさせてもよい遊技状態であり、この場合、遊技に用いられるメダルの消費が抑えられ、小役の入賞によって所定数のメダルが払い出されることにより、獲得するメダルの総数が、投入したメダルの総数を超える遊技状態になり、遊技者にとっては利益となる遊技状態になる場合がある。
【００６８】
＜ＢＢ遊技＞
ＢＢ遊技は、遊技者にとっては利益となる遊技状態になるように設定されている。つまり、ＢＢ遊技は、獲得するメダルの総数が、投入したメダルの総数を超える遊技状態となる。ＢＢ遊技は、本実施形態では、ビッグボーナス（ＢＢ）の入賞により開始され、ＲＢ遊技を連続して繰り返し実行可能になっており、遊技中に予め定められた一の数（例えば、４６５枚）を超えるメダルが獲得された場合に終了する。但し、ＢＢ遊技はＲＢ遊技を複数回数実行可能であればよく、例えば、ＲＢ遊技を開始する役を設定し、この役が内部当選した場合、または、入賞した場合に、ＲＢ遊技を開始するように設定してもよい。さらには、ＢＢ遊技は、ＢＢ遊技中のＲＢ遊技を除くＢＢ一般遊技を予め定めた回数（例えば、３０回）実行した場合、または、ＢＢ遊技中に実行したＲＢ遊技の回数が予め定めた回数に達した場合（例えば、３回）に終了するようにしてもよい。
【００６９】
＜ＲＢ遊技＞
ＲＢ遊技は、遊技者にとっては利益となる遊技状態になるように設定することができる。つまり、ＲＢ遊技は、獲得するメダルの総数が、投入したメダルの総数を超える遊技状態となる。ＲＢ遊技は、本実施形態では、レギュラーボーナス（ＲＢ）の入賞により開始され、予め定めた一の役が内部当選の確率を上昇させる変動（例えば、「設定１」「通常遊技」に設定された「小役１」の内部当選確率１／１５を、予め定めた一の値である内部当選確率１／１．２に上昇させる）をし、予め定めた一の数（例えば、８回）の入賞があった場合に終了する。ＲＢ遊技は、予め定めた回数（少なくとも２回）の入賞があった場合（例えば、８回）、または、ＲＢ遊技中に実行したＲＢ遊技の回数が予め定めた回数に達した場合（例えば、８回）に終了するようにしてもよい。上述したＢＢ遊技は、ＲＢ遊技を複数回数実行可能であるので、一回のＲＢ遊技を行った場合には、ＢＢ遊技で得られるメダルの総数よりも少ないメダル数を獲得して終了することとなる。
【００７０】
＜ビッグボーナス（ＢＢ）およびレギュラーボーナス（ＲＢ）の内部当選遊技＞
ビッグボーナス（ＢＢ）およびレギュラーボーナス（ＲＢ）の内部当選遊技に内部当選する入賞役には、再遊技（リプレイ）と、小役がある。ビッグボーナス（ＢＢ）およびレギュラーボーナス（ＲＢ）は内部当選することはなく、ビッグボーナス（ＢＢ）かレギュラーボーナス（ＲＢ）に対応する図柄組み合わせを入賞させることが可能となっている遊技状態である。
【００７１】
但し、ビッグボーナス（ＢＢ）およびレギュラーボーナス（ＲＢ）に内部当選した次遊技から、再遊技の内部当選の確率を変動させてもよく、例えば、再遊技の内部当選の確率を上昇させる変動をさせて、ビッグボーナス（ＢＢ）およびレギュラーボーナス（ＲＢ）対応する図柄組み合わせが入賞するまでの間は、獲得するメダルの総数が、投入したメダルの総数とほぼ同じとなる遊技状態とし、通常遊技と比べると遊技者にとっては利益となる遊技状態としてもよい。なお、ＢＢ遊技、ＲＢ遊技は両者とも遊技者にとって利益となる遊技状態であるため、総じて、ボーナス遊技、又は、特別遊技と称する場合がある。
【００７２】
＜制御部の処理例＞
＜主制御部メイン処理＞
図５を用いて、主制御部３００のＣＰＵ３０４が実行する主制御部メイン処理について説明する。なお、同図は主制御部メイン処理の流れを示すフローチャートである。
【００７３】
上述したように、主制御部３００には、電源が投入されると起動信号（リセット信号）を出力する起動信号出力回路（リセット信号出力回路）３３８を設けている。この起動信号を入力した基本回路３０２のＣＰＵ３０４は、リセット割込によりリセットスタートしてＲＯＭ３０６に予め記憶している制御プログラムに従って図５に示す主制御部メイン処理を実行する。
【００７４】
電源投入が行われると、まず、ステップＳＡ０１で各種の初期設定を行う。この初期設定では、ＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１３への動作許可及び初期値の設定等を行う。ステップＳＡ０２ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。ステップＳＡ０３では、スタートレバー１３５が操作されたか否かのチェックを行い、スタートレバー１３５の操作があればステップＳＡ０５へ進む。
【００７５】
ステップＳＡ０５では投入されたメダル枚数を確定し、有効な入賞ラインを確定する。ステップＳＡ０７では乱数発生回路３１６で発生させた乱数を取得する。ステップＳＡ０９では、現在の遊技状態に応じてＲＯＭ３０６に格納されている入賞役抽選テーブルを読み出し、これとステップＳＡ０７で取得した乱数値とを用いて内部抽選を行う。内部抽選の結果、いずれかの入賞役（作動役を含む）に内部当選した場合、その入賞役のフラグがＯＮになる。ステップＳＡ１１では内部抽選結果に基づき、リール停止データを選択する。
【００７６】
ステップＳＡ１３では全リール１１０乃至１１２の回転を開始させる。ステップＳＡ１５では、ストップボタン１３７乃至１３９の受け付けが可能になり、いずれかのストップボタンが押されると、押されたストップボタンに対応するリール１１０乃至１１２の何れかをステップＳＡ１１で選択したリール停止制御データに基づいて停止させる。全リール１１０乃至１１２が停止するとステップＳＡ１７へ進む。
【００７７】
ステップＳＡ１７では、入賞判定を行う。ここでは、有効化された入賞ライン１１４上に、何らかの入賞役に対応する絵柄組合せが表示された場合にその入賞役に入賞したと判定する。例えば、有効化された入賞ライン上に「ベル−ベル−ベル」が揃っていたならば小役（ベル）の入賞と判定する。ステップＳＡ１９では払い出しのある何らかの入賞役に入賞していれば、その入賞役に対応する枚数のメダルを入賞ライン数に応じて払い出す。
【００７８】
ステップＳＡ２１では遊技状態制御処理を行う。遊技状態制御処理では、通常遊技、ＢＢ遊技、ＲＢ遊技、内部当選遊技、の各遊技状態の移行に関する処理を行い、それらの開始条件、終了条件の成立により、遊技状態を移行する。以上により１ゲームが終了する。以降ステップＳＡ０３へ戻って上述した処理を繰り返すことにより遊技が進行することになる。
【００７９】
＜主制御部３００タイマ割込処理＞
図６を用いて、主制御部３００のＣＰＵ３０４が実行する主制御部タイマ割込処理について説明する。なお、同図は主制御部タイマ割込処理の流れを示すフローチャートである。
【００８０】
主制御部３００は、所定の周期（本実施形態では約２ｍｓに１回）でタイマ割込信号を発生するカウンタタイマ３１２を備えており、このタイマ割込信号を契機として主制御部タイマ割込処理を所定の周期で開始する。
【００８１】
ステップＳＢ０１では、タイマ割込開始処理を行う。このタイマ割込開始処理では、ＣＰＵ３０４の各レジスタの値をスタック領域に一時的に退避する処理などを行う。
【００８２】
ステップＳＢ０３では、ＷＤＴ３１４のカウント値が初期設定値（本実施形態では３２．８ｍｓ）を超えてＷＤＴ割込が発生しないように（処理の異常を検出しないように）、ＷＤＴを定期的に（本実施形態では、主制御部タイマ割込の周期である約２ｍｓに１回）リスタートを行う。
【００８３】
ステップＳＢ０５では、入力ポート状態更新処理を行う。この入力ポート状態更新処理では、Ｉ／Ｏ３１０の入力ポートを介して、各種センサ３１８のセンサ回路３２０の検出信号を入力して検出信号の有無を監視し、ＲＡＭ３０８に各種センサ３１８ごとに区画して設けた信号状態記憶領域に記憶する。
【００８４】
ステップＳＢ０７では、各種遊技処理を行う。具体的には、割込みステータスを取得し（各種センサ３１８からの信号に基づいて各種割込みステータスを取得する）、このステータスに従った処理を行う（例えば、取得した各ストップボタン１３７乃至１３９の割込みステータスに基づいて、停止ボタン受付処理を行う）。ステップＳＢ０９では、タイマ更新処理を行う。各種タイマをそれぞれの時間単位により更新する。
【００８５】
ステップＳＢ１１では、コマンド設定送信処理を行い、各種のコマンドが第一副制御部４００に送信される。なお、第一副制御部４００に送信する出力予定情報は本実施形態では１６ビットで構成しており、ビット１５はストローブ情報（オンの場合、データをセットしていることを示す）、ビット１１〜１４はコマンド種別（本実施形態では、基本コマンド、スタートレバー受付コマンド、演出抽選処理に伴う演出コマンド、リール１１０乃至１１２の回転を開始に伴う回転開始コマンド、ストップボタン１３７乃至１３９の操作の受け付けに伴う停止ボタン受付コマンド、リール１１０乃至１１２の停止処理に伴う停止位置情報コマンド、メダル払出処理に伴う払出枚数コマンド及び払出終了コマンド、遊技状態を示すコマンド等）、ビット０〜１０はコマンドデータ（コマンド種別に対応する所定の情報）で構成されている。
【００８６】
第一副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
【００８７】
ステップＳＢ１３では、外部出力信号設定処理を行う。この外部出力信号設定処理では、ＲＡＭ３０８に記憶している遊技情報を、情報出力回路３３４を介してスロットマシン１００とは別体の情報入力回路６５２に出力する。
【００８８】
ステップＳＢ１５では、デバイス監視処理を行う。このデバイス監視処理では、まずはステップＳＢ０５において信号状態記憶領域に記憶した各種センサ３１８の信号状態を読み出して、メダル投入異常及びメダル払出異常等に関するエラーの有無を監視し、エラーを検出した場合にはエラー処理（図示省略）を実行させる。さらに、現在の遊技状態に応じて、メダルセレクタ１７０（メダルセレクタ１７０内に設けたソレノイドが動作するメダルブロッカ）、各種ランプ３３８、各種の７セグメント（ＳＥＧ）表示器の設定を行う。
【００８９】
ステップＳＢ１７では、低電圧信号がオンであるか否かを監視する。そして、低電圧信号がオンの場合（電源の遮断を検知した場合）にはステップＳＢ２１に進み、低電圧信号がオフの場合（電源の遮断を検知していない場合）にはステップＳＢ１９に進む。
【００９０】
ステップＳＢ１９では、タイマ割込終了処理を終了する各種処理を行う。このタイマ割込終了処理では、ステップＳＢ０１で一時的に退避した各レジスタの値を元の各レジスタに設定等行う。その後、図５に示す主制御部メイン処理に復帰する。
【００９１】
一方、ステップＳＢ２１では、復電時に電断時の状態に復帰するための特定の変数やスタックポインタを復帰データとしてＲＡＭ３０８の所定の領域に退避し、入出力ポートの初期化等の電断処理を行い、その後、図５に示す主制御部メイン処理に復帰する。
【００９２】
＜第一副制御部４００の処理＞
図７を用いて、第一副制御部４００の処理について説明する。なお、図７（ａ）は、第一副制御部４００のＣＰＵ４０４が実行するメイン処理のフローチャートである。図７（ｂ）は、第一副制御部４００のコマンド受信割込処理のフローチャートである。図７（ｃ）は、第一副制御部４００のタイマ割込処理のフローチャートである。
【００９３】
まず、図７（ａ）のステップＳＣ０１では、各種の初期設定を行う。電源投入が行われると、まずステップＳＣ０１で初期化処理が実行される。この初期化処理では、入出力ポートの初期設定や、ＲＡＭ４０８内の記憶領域の初期化処理等を行う。
【００９４】
ステップＳＣ０３では、タイマ変数が１０以上か否かを判定し、タイマ変数が１０となるまでこの処理を繰り返し、タイマ変数が１０以上となったときには、ステップＳＣ０５の処理に移行する。ステップＳＣ０５では、タイマ変数に０を代入する。
【００９５】
ステップＳＣ０７では、コマンド処理を行う。コマンド処理では第一副制御部４００のＣＰＵ４０４は、主制御部３００からコマンドを受信したか否かを判別する。
【００９６】
ステップＳＣ０９では、演出制御処理を行う。例えば、ステップＳＣ０７で新たなコマンドがあった場合には、このコマンドに対応する処理を行う。この処理には、例えば、演出データをＲＯＭ４０６から読み出す等の処理を行い、演出データの更新が必要な場合には演出データの更新処理を行うことが含まれる。
【００９７】
ステップＳＣ１１では、ステップＣ０９の処理結果に基づいて音制御処理を行う。例えば、ステップＳＣ０９で読み出した演出データの中に音源ＩＣ４１８への命令がある場合には、この命令を音源ＩＣ４１８に出力する。
【００９８】
ステップＳＣ１３では、ステップＣ０９の処理結果に基づいてランプ制御処理を行う。例えば、ステップＳＣ０９で読み出した演出データの中に各種ランプ４２０への命令がある場合には、この命令を駆動回路４２２に出力する。
【００９９】
ステップＳＣ１５では、ステップＣ０９の処理結果に基づいて第二副制御部５００に制御コマンドを送信する設定を行う情報出力処理を行う。例えば、ステップＳＣ０９で読み出した演出データの中に第二副制御部５００に送信する制御コマンドがある場合には、この制御コマンドを出力する設定を行い、ステップＳＣ０３へ戻る。
【０１００】
次に、図７（ｂ）を用いて、第一副制御部４００のコマンド受信割込処理について説明する。このコマンド受信割込処理は、第一副制御部４００が、主制御部３００が出力するストローブ信号を検出した場合に実行する処理である。コマンド受信割込処理のステップＳＤ０１では、主制御部３００が出力したコマンドを未処理コマンドとしてＲＡＭ４０８に設けたコマンド記憶領域に記憶する。
【０１０１】
次に、図７（ｃ）を用いて、第一副制御部４００のＣＰＵ４０４によって実行する第一副制御部タイマ割込処理について説明する。第一副制御部４００は、所定の周期（本実施形態では２ｍｓに１回）でタイマ割込を発生するハードウェアタイマを備えており、このタイマ割込を契機として、タイマ割込処理を所定の周期で実行する。
【０１０２】
ステップＳＥ０１では、図７（ａ）に示す第一副制御部メイン処理におけるステップＳＣ０３において説明したＲＡＭ４０８のタイマ変数記憶領域の値に、１を加算して元のタイマ変数記憶領域に記憶する。従って、ステップＳＣ０３において、タイマ変数の値が１０以上と判定されるのは２０ｍｓ毎（２ｍｓ×１０）となる。
【０１０３】
ステップＳＥ０３では、ステップＳＣ１５で設定された第二副制御部５００への制御コマンドの送信や、演出用乱数値の更新処理等を行う。
【０１０４】
＜第二副制御部５００の処理＞
図８を用いて、第二副制御部５００の処理について説明する。なお、図８（ａ）は、第二副制御部５００のＣＰＵ５０４が実行するメイン処理のフローチャートである。図８（ｂ）は、第二副制御部５００のコマンド受信割込処理のフローチャートである。図８（ｃ）は、第二副制御部５００のタイマ割込処理のフローチャートである。図８（ｄ）は、第二副制御部５００の画像制御処理のフローチャートである。
【０１０５】
ステップＳＧ０１では、各種の初期設定を行う。電源投入が行われると、まずステップＳＦ０１で初期化処理が実行される。この初期化処理では、入出力ポート初期設定や、ＲＡＭ５０８内の記憶領域の初期化処理等を行う。
【０１０６】
ステップＳＦ０３では、タイマ変数が１０以上か否かを判定し、タイマ変数が１０となるまでこの処理を繰り返し、タイマ変数が１０以上となったときには、ステップＳＦ０５の処理に移行する。ステップＳＦ０５では、タイマ変数に０を代入する。ステップＳＦ０７では、コマンド処理を行う。コマンド処理では第二副制御部５００のＣＰＵ５０４は、第一副制御部４００のＣＰＵ４０４からコマンドを受信したか否かを判別する。
【０１０７】
ステップＳＦ０９では、演出制御処理を行う。例えば、ステップＳＦ０７で新たなコマンドがあった場合には、このコマンドに対応する処理を行う。この処理には、例えば、演出データをＲＯＭ５０６から読み出す等の処理を行い、演出データの更新が必要な場合には演出データの更新処理を行うことが含まれる。
【０１０８】
ステップＳＦ１１では、ステップＳＦ０９の処理結果に基づいてシャッタ制御処理を行う。例えば、ステップＳＦ０９読み出した演出データの中にシャッタ制御の命令がある場合には、この命令に対応するシャッタ制御を行う。
【０１０９】
ステップＳＦ１１では、ステップＳＦ０９の処理結果に基づいて画像制御処理を行う。例えば、ステップＳＦ０９読み出した演出データの中に画像制御の命令がある場合には、この命令に対応する画像制御を行い、ステップＳＦ０３へ戻る。
【０１１０】
次に、図８（ｂ）を用いて、第二副制御部５００のコマンド受信割込処理について説明する。このコマンド受信割込処理は、第二副制御部５００が、第一副制御部４００が出力するストローブ信号を検出した場合に実行する処理である。コマンド受信割込処理のステップＳＧ０１では、第一副制御部４００が出力したコマンドを未処理コマンドとしてＲＡＭ５０８に設けたコマンド記憶領域に記憶する。
【０１１１】
次に、図８（ｃ）を用いて、第二副制御部５００のＣＰＵ５０４によって実行する第二副制御部タイマ割込処理について説明する。第二副制御部５００は、所定の周期（本実施形態では２ｍｓに１回）でタイマ割込を発生するハードウェアタイマを備えており、このタイマ割込を契機として、タイマ割込処理を所定の周期で実行する。
【０１１２】
ステップＳＨ０１では、図８（ａ）に示す第二副制御部メイン処理におけるステップＳＦ０３において説明したＲＡＭ５０８のタイマ変数記憶領域の値に、１を加算して元のタイマ変数記憶領域に記憶する。従って、ステップＳＦ０３において、タイマ変数の値が１０以上と判定されるのは２０ｍｓ毎（２ｍｓ×１０）となる。ステップＳＨ０３では、演出用乱数値の更新処理等を行う。
【０１１３】
次に、図８（ｄ）を用いて、第二副制御部５００のメイン処理におけるステップＳＦ１３の画像制御処理について説明する。同図は、画像制御処理の流れを示すフローチャートを示した図である。
【０１１４】
ステップＳＩ０１では、画像データの転送指示を行う。ここでは、ＣＰＵ５０４は、まず、ＶＲＡＭ５３６の表示領域Ａと表示領域Ｂの描画領域の指定をスワップする。これにより、描画領域に指定されていない表示領域に記憶された１フレームの画像が演出画像表示装置１５７に表示される。次に、ＣＰＵ５０４は、ＶＤＰ５３４のアトリビュートレジスタに、位置情報等テーブルに基づいてＲＯＭ座標（ＲＯＭ５０６の転送元アドレス）、ＶＲＡＭ座標（ＶＲＡＭ５３６の転送先アドレス）などを設定した後、ＲＯＭ５０６からＶＲＡＭ５３６への画像データの転送開始を指示する命令を設定する。ＶＤＰ５３４は、アトリビュートレジスタに設定された命令に基づいて画像データをＲＯＭ５０６からＶＲＡＭ５３６に転送する。その後、ＶＤＰ５３４は、転送終了割込信号をＣＰＵ５０４に対して出力する。
【０１１５】
ステップＳＩ０３では、ＶＤＰ５３４からの転送終了割込信号が入力されたか否かを判定し、転送終了割込信号が入力された場合はステップＳＩ０５に進み、そうでない場合は転送終了割込信号が入力されるのを待つ。ステップＳＩ０５では、演出シナリオ構成テーブルおよびアトリビュートデータなどに基づいて、パラメータ設定を行う。ここでは、ＣＰＵ５０４は、ステップＳＩ０１でＶＲＡＭ５３６に転送した画像データに基づいてＶＲＡＭ５３６の表示領域ＡまたはＢに表示画像を形成するために、表示画像を構成する画像データの情報（ＶＲＡＭ５３６の座標軸、画像サイズ、ＶＲＡＭ座標（配置座標）など）をＶＤＰ５３４に指示する。ＶＤＰ５３４はアトリビュートレジスタに格納された命令に基づいてアトリビュートに従ったパラメータ設定を行う。
【０１１６】
ステップＳＩ０７では、描画指示を行う。この描画指示では、ＣＰＵ５０４は、ＶＤＰ５３４に画像の描画開始を指示する。ＶＤＰ５３４は、ＣＰＵ５０４の指示に従ってフレームバッファにおける画像描画を開始する。
【０１１７】
ステップＳＩ０９では、画像の描画終了に基づくＶＤＰ５３４からの生成終了割込み信号が入力されたか否かを判定し、生成終了割込み信号が入力された場合はステップＳＩ１１に進み、そうでない場合は生成終了割込み信号が入力されるのを待つ。ステップＳＩ１１では、ＲＡＭ５０８の所定の領域に設定され、何シーンの画像を生成したかをカウントするシーン表示カウンタをインクリメント（＋１）して処理を終了する。
【０１１８】
＜基板ユニット＞
基板ユニット１０２ａの構成について図９を参照して説明する。同図は基板ユニット１０２ａを背面側から見た図である。固定部材１の上部には基板収容ケース２および３が着脱自在に取り付けられている。固定部材１の中央には、本体１０１に配置された３つのリール１１０〜１１２を前面から視認させる図柄表示窓１１３を形成する開口部１０が形成されている。固定部材１の下部には、扉回路基板６００が取り付けられている。扉回路基板６００はカバー部材４で覆われている。また、扉回路基板６００の一部はカバー部材５および６にも覆われている。
【０１１９】
＜固定部材＞
図１０および図１５を参照して固定部材１の構成を説明する。図１０は固定部材１の背面図である。図１５は固定部材１の正面側から見た、基板ユニット１０２ａの分解斜視図である。固定部材１は、全体として矩形状で板状の部材であり、その四隅を含む複数の部位には前面扉１０２に固定部材１を取り付けるための取付部１ｂが形成されている。本実施形態の場合、取付部１ｂはネジが挿入される孔を形成している。
【０１２０】
固定部材１の背面１ａは、基板収容ケース２が配置される配置領域Ｒ１と基板収容ケース３が配置される配置領域Ｒ２とを含む。配置領域Ｒ１およびＲ２の周囲には複数の凸部１１Ａ〜１１Ｅ、１２Ａ〜１２Ｃが配置されている。複数の凸部１１Ａ〜１１Ｅ、１２Ａ〜１２Ｃは基板収容ケース２および３の固定または着脱時の移動の案内を行う。凸部１２Ａ〜１２Ｃは、配置領域Ｒ１およびＲ２の上側に配置されており、基板収容ケース２または３の上部に係合する係合部である。本実施形態の場合、凸部１２Ａ〜１２Ｃは、背面１ａから背面側に突出し、更に、下向きに曲折されたＬ字型のフック形状を有しており、基板収容ケース２または３は、凸部１２Ａ〜１２Ｃの左右側方から凸部１２Ａ〜１２Ｃに挿抜可能になっている。凸部１２Ａ〜１２Ｂは基板収容ケース２または３が背面側へ倒れ込むこと、あるいは、背面１ａからの浮き上がりを防止する。
【０１２１】
凸部１１Ａ、１１Ｂ、１１Ｄおよび１１Ｅは、左右方向に延びて基板収容ケース２または３を左右にスライド自在に案内する案内レーンを形成しており、その内側面（凸部１１Ａおよび１１Ｄにあっては下面、凸部１１Ｂおよび１１Ｅにあっては上面）が基板収容ケース２または３の案内面を形成している。凸部１１Ａの内側面と、凸部１１Ｂの内側面との距離は、基板収容ケース２の幅よりも僅かに長くされており、着脱時に基板収容ケース２を上下方向に僅かに回動することが許容される。これにより、基板収容ケース２の着脱操作が行い易い場合がある。同様に、凸部１１Ｄの内側面と、凸部１１Ｅの内側面との距離は、基板収容ケース３の幅よりも僅かに長くされており、着脱時に基板収容ケース２を上下方向に僅かに回動することが許容される。これにより、基板収容ケース２の着脱操作が行い易い場合がある。
【０１２２】
凸部１１Ｃは上下方向に延びて、基板収容ケース２および３の左右方向の位置決めを行う位置決め部材を形成しており、基板収容ケース２および３は各端部が凸部１１Ｃに当接することによりその左右方向の位置決めがなされる。凸部１１Ａ、１１Ｂおよび１１Ｅには、取付孔１１ａが一体的に形成されている。この取付孔１１ａは例えばねじ孔であり、基板収容ケース２および３を固定するねじが取付けられる。また、凸部１１Ａ〜１１Ｅにはリブ１１ｂが一体的に形成されており、各凸部１１Ａ〜１１Ｅが補強される。
【０１２３】
配置領域Ｒ１およびＲ２には、配線部１３Ａおよび１３Ｂが形成されている。配設部１３Ａおよび１３Ｂは、固定部材１の正面側に位置する演出画像表示装置１５７と基板収容ケース２および３に収容される各回路基板とを接続するハーネスを配索するための構成である。肺尖部１３Ａおよび１３Ｂは、背面１ａから正面側へ凹んだ凹部１３ａを有し、ハーネスは凹部１３ａ内に取り回される。凹部１３ａの端部には、固定部材１を貫通する開口部１３ｂが形成されており、ハーネスはこの開口部１３ｂを通過して固定部材１の表裏に配索される。凹部１３ａの底部にはフック１３ｃが複数形成されており、ハーネスをフック１３ｃにより拘束可能である。
【０１２４】
固定部材１の左側と右側にはハーネス取り回し用のクリップ１７を取り付けるための取付孔１４が複数設けられている。クリップ１７は取付孔１４に着脱自在に係合する。
【０１２５】
固定部材１の下部には扉回路基板６００を取り付けるための取付部１５が形成されている。本実施形態の場合、取付部１５は扉回路基板６００の大きさに合わせて形成されており、その取付位置がずれないように固定部材１の背面１よりも凹んだ凹部である。取付部１５の左右に隣接して、カバー部材４の取付部１６ａ、１６ａが形成されている。本実施形態の場合、取付部１６ａはねじ孔であり、カバー部材４はねじで取付部１６ａに固定される。取付部１５の一部には、カバー部材５を取り付ける取付部１６Ａが設けられ、取付部１５の下方には取付部１６ａから左右方向に離間してカバー部材６を取り付ける取付部１６Ｂが設けられている。
【０１２６】
＜基板収容ケース＞
基板収容ケース２および３の構成について図１１〜図１３を参照して説明する。正面、背面等の方向についてはスロットマシン１００に装着した状態を基準としている。基板収容ケース２および３は互いに接続、分離自在に構成されており、図１１〜図１３は分離状態を示している。図１１は基板収容ケース２および３の背面図、図１２は基板収容ケース２および３の底面図、図１３（ａ）は基板収容ケース２の背面視で左側面図（正面視で右側面図）、図１３（ｂ）は基板収容ケース３の背面視で右側面図（正面視で左側面図）である。
【０１２７】
基板収容ケース２は、第一副制御部４００を構成する回路基板４００Ａを収容する。回路基板４００Ａのボード部（電子部品を実装していない基板単体。基板面の基準。）は全体として矩形状を有している。図中、Ｘ１は回路基板４００Ａの基板面方向を示している。本実施形態の場合、回路基板４００Ａは縦姿勢で配置される。つまり、その法線方向はスロットマシン１００の奥行方向であり、基板面方向は上下方向および左右方向である。
【０１２８】
基板収容ケース２は、ケース部材２１および２２を含む複数のケース部材によって回路基板４００Ａを収容する内部空間が形成される中空体である。ケース部材２１は基板収容ケース２の背面を構成し、ケース部材２２は基板収容ケース２１の正面を構成する。両者は互いに対向して固定されている。
【０１２９】
本実施形態の場合、基板収容ケース２は、左右の端部２Ａ、２Ｄと上下の端部２Ｂおよび２Ｄを有し、全体として直方体形状を有している。基板収容ケース２の周縁には固定部材１に基板収容ケース２をねじで固定するための複数の取付部２ａが形成されており、本実施形態の場合、これらはねじが挿入される孔である。
【０１３０】
基板収容ケース２にはファン７が着脱自在に固定されており、基板収容ケース２の内部を換気可能になっている。ファン７の駆動により、回路基板４００Ａに実装される基本回路４０２（特にＣＰＵ４０４）等が冷却される。
【０１３１】
端部２Ａには開口部２３が形成されている。図１３（ａ）においては開口部２３の形状を理解し易くする目的で開口部２３を着色している。開口部２３は、壁部２１ａおよび壁部２２ａにより形成されている。つまり、壁部２１ａおよび２１ｂは開口部２３を画定する周壁である。壁部２１ａはケース部材２１の一部であり、壁部２２ａはケース部材２２の一部である。開口部２３は本実施形態の場合、凸字型に形成されており、端部２１Ａの長手方向に長い形状を有している。
基板収容ケース３は、第二副制御部５００を構成する回路基板５００Ａを収容する。回路基板５００Ａのボード部（電子部品を実装していない基板単体。基板面の基準。）は全体として矩形状を有している。図中、Ｘ２は回路基板５００Ａの基板面方向を示している。本実施形態の場合、回路基板５００Ａは縦姿勢で配置される。つまり、その法線方向はスロットマシン１００の奥行方向であり、基板面方向は上下方向および左右方向である。
【０１３２】
基板収容ケース３は、ケース部材３１および３２を含む複数のケース部材によって回路基板５００Ａを収容する内部空間が形成される中空体である。ケース部材３１は基板収容ケース３の背面を構成し、ケース部材３２は基板収容ケース３１の正面を構成する。両者は互いに対向して固定されている。
【０１３３】
本実施形態の場合、基板収容ケース３は、左右の端部３Ａ、３Ｄと上下の端部３Ｂおよび３Ｄを有し、全体として直方体形状を有している。基板収容ケース２および３の設置時において、端部３Ａは基板収容ケース２の端部２Ａと対向する端部である。基板収容ケース３の周縁には固定部材１に基板収容ケース３をねじで固定するための複数の取付部３ａが形成されており、本実施形態の場合、これらはねじが挿入される孔である。
【０１３４】
基板収容ケース３には、回路基板５００Ａに実装されたコネクタ５２０〜５２１を露出させる開口部３ｂ〜３ｃが形成されている。コネクタ５２０はファン７のハーネス７ａのコネクタ７ｂが接続されるコネクタであり、コネクタ５２１および５２２は、演出画像表示装置１５７のハーネス（配設部１３Ａ、１３Ｂを配索されるハーネス）のコネクタが接続されるコネクタである。基板収容ケース２は、演出の進行を制御する基本回路４０２や、その制御情報を記憶するＲＯＭ４０６が収容されるため、不正行為の点で開口部は少ない方がよい場合があり、基板収容ケース３はこの点で開口部が多くてもよい場合がある。  端部３Ａには開口部３３が形成されている。図１３（ｂ）においては開口部３３の形状を理解し易くする目的で開口部３３を着色している。開口部３３は、壁部３１ａおよび壁部３２ａにより形成されている。つまり、壁部３１ａおよび３１ｂは開口部３３を画定する周壁である。壁部３１ａはケース部材３１の一部であり、壁部３２ａはケース部材３２の一部である。開口部３３は本実施形態の場合、凸字型に形成されており、端部３１Ａの長手方向に長い形状を有している。
【０１３５】
回路基板４００Ａと回路基板５００Ａとには、これらを電気的に接続する接続部ＣＮが設けられている。接続部ＣＮは、回路基板４００Ａに実装されたコネクタ４３１と、回路基板５００Ａに実装されたコネクタ５３１とを備える。本実施形態の場合、接続部ＣＮは基板対基板コネクタを構成しており、コネクタ４３１とコネクタ５３１とは互いに電気的に接続され、かつ、機械的に嵌合するコネクタである。接続部ＣＮを介して回路基板４００Ａと回路基板５００Ａとが接続されている接続状態のことを、基板収容ケース２と基板収容ケース３とが接続状態である、と呼ぶ場合がある。同様に、接続部ＣＮにおいて回路基板４００Ａと回路基板５００Ａとが分離されている分離状態のことを、基板収容ケース２と基板収容ケース３とが分離状態である、と呼ぶ場合がある。
【０１３６】
コネクタ４３１とコネクタ５３１とは、一方がメス型のコネクタを、他方がオス型のコネクタを構成している。コネクタ４３１は、回路基板４００Ａのボード部の端縁（端部２Ａ側の端縁）に隣接して配置されており、複数の電気接点がこの端縁に沿う方向（Ｘ１方向。ここでは上下方向。）に一列または複数列配列されている。コネクタ５３１は、回路基板５００Ａのボード部の端縁（端部３Ａ側の端縁）に隣接して配置されており、複数の電気接点がこの端縁に沿う方向（Ｘ２方向。ここでは上下方向。）に一列または複数列配列されている。
【０１３７】
本実施形態の場合、開口部２３と開口部３３とは相似形であり、開口部３３は開口部２３よりも大きい。したがって、接続部ＣＮにおける接続の際、開口部２３を画定する壁部２１ａおよび２１ｂを開口部３３に差し込むことで接続状態とすることができ、接続部ＣＮの周囲の接続強度を高めることができる場合があり、また、開口部２３および３３における接続状態での隙間を小さくして不正器具の進入を抑制できる場合がある。
【０１３８】
図１４は、固定部材１に基板収容ケース２および３を装着する際の手順を説明する図である。基板収容ケース２は、前面扉１０２の背面に向かって右側から凸部１１Ａおよび１１Ｂ上をスライドさせるように取り付け、基板収容ケース３は、前面扉１０２の背面に向かって左側から凸部１１Ｄおよび１１Ｅ上をスライドさせるように取り付ける。
【０１３９】
基板収容ケース２の端部２Ａにはコネクタ４３１に直接アクセス可能な開口部２３が設けられ、基板収容ケース３の端部３Ａにはコネクタ５３１に直接アクセス可能な開口部３３が設けられているため、これらの開口部２３および３３が向かい合うように取り付けることにより、固定部材１に対する基板収容ケース２および３の装着によって、コネクタ４３１および５３１が嵌合し、互いに接続状態となる。
【０１４０】
図１５は固定部材１に対する基板収容ケース２および３の着脱態様の例を示しており、図１５（ａ）から図１５（ｃ）は装着時、図１５（ｄ）〜図１５（ｆ）は取り外し時の態様を示している。本実施形態の基板収容ケース２および３の取り付け手順は、
・いずれか一方の基板収容ケースを凸部１１Ｃに当たるまで動かす
・動かした基板収容ケースを取付部１１ａにねじで固定する
・他方の基板収容ケースを、既に取り付けた基板収容ケースに向かって動かす
・基板同士を接続するコネクタ４３１、５３１を嵌合する
・動かした基板収容ケースを取付部１１ａにねじで固定する
という流れになっている。なお、これに限らず、例えば、基板収容ケース２および３を接続部ＣＮで接続した後で固定部材１に取り付け可能な構造であってもよい。
【０１４１】
本実施形態の基板収容ケース２および３は、両方を取り付けた状態で一方の基板収容ケースのみを取り外すことが可能な構造になっている。例えば、基板収容ケース２のみを取り外す場合、基板収容ケース２を取付部１１ａに固定しているねじを取り外し、基板収容ケース２をスライドさせながら接続部ＣＮの接続を解除すれば、基板収容ケース２のみを取り外すことができる。また、反対に基板収容ケース３のみを取り外す場合、基板収容ケース３を取付部１１ａに固定しているねじを取り外し、基板収容ケース３をスライドさせながら接続部ＣＮの接続を解除すれば、基板収容ケース３のみを取り外すことができる。
【０１４２】
本実施形態では、回路基板４００Ａおよび回路基板５００Ａの取り付け、取り外しに際し、基板収容ケース２、３に収容した状態でこれを行うことができ、かつ、個別に取り付け、取り外しが可能である。
【０１４３】
図１６は、基板収容ケース２および３を固定部材１に装着した状態を示している。基板収容ケース２と基板収容ケース３を取り付ける際には上部に設けられた凸部１２Ａ〜１２Ｃおよび凸部１１Ａ、１１Ｄと、下部に設けられた凸部１１Ｂ、１１Ｃおよび１１Ｅによって位置が定められ、上部に設けられた凸部１２Ａ〜１２Ｃによって固定部材１から離れる方向に移動することを規制している。ねじで固定した後は、基板収容ケース２および３は、下部に設けられた凸部１１Ｂ、１１Ｃおよび１１Ｅと接触する位置であり、上部に設けられた凸部１１Ａ、１１Ｄとは若干距離がある位置に固定される。
【０１４４】
上記のとおり、本実施形態では、上部の凸部１１Ａ、１１Ｄと、下部の凸部１１Ｂ、１１Ｅとの距離が、対応する基板収容ケース２、３の幅よりも広い構成となっている。このような構成とすることにより、接続部ＣＮを左右方向に引き離して取り外す際に、上下にケースを傾かせる余裕があるため、回路基板４００Ａおよび５００Ａを取り外す際に勢いがついてしまうことを防ぐことが可能となる。
【０１４５】
接続状態における接続部ＣＮ周辺の構造について図１７〜図１９を参照して説明する。図１７（ａ）は基板収容ケース２および３を接続した状態を示し、図１７（ｂ）はそのＡ−Ａ線に沿う断面図を示している。図１８および図１９は図１７（ｂ）のａ部拡大図を示している。
【０１４６】
本実施形態の接続部ＣＮは、回路基板４００Ａおよび５００Ｂの端縁が互いに対向するようにこれらを基板面方向に平行に接続するものである。図１７（ｂ）で示すように回路基板４００Ａおよび５００Ａに配置されたコネクタ４３１、５３１同士を直接接続して基板間通信を行うことにより、ハーネスを介在させた接続態様よりもノイズが発生しづらくなる。これは、基板間通信を行う距離に基づくものであり、通信に要する距離が長ければ長い程ノイズが発生しやすくなるため、本実施形態で示す通信手段はハーネスで基板間通信を行うものと比較するとノイズが発生しづらくなる。
【０１４７】
本実施形態では、回路基板４００Ａと回路基板５００Ａとを別々の基板収容ケース２、３に収容する構成としているが、これは、一つの筐体に対して複数種類の機種の開発を行う際に、共通化して使用可能な回路基板４００Ａと、複数種類の機種それぞれで異なる回路基板５００Ａとを別々の構成とすることにより、共通化して使用可能な基板およびその基板収容ケースの開発コストや製造コストを削減することが可能となる場合がある。また、基板毎に別々の基板収容ケースとすることにより、市場での故障の際に片方だけ交換することができるため、交換用の基板および基板収容ケースのコストを削減することも可能な場合がある。
【０１４８】
図１８に示すように、本実施形態では、接続部ＣＮにおいて、基板収容ケース２の壁部２１ａと基板収容ケース３の壁部３１ａが重なる構造となっている。このような構造とすることにより、コネクタ接続箇所の接続が安定する場合がある。また、接続部ＣＮに対する不正行為に対して、壁部を二重にして保護することにより、開口部２３、３３や接続部ＣＮに対する不正行為を防止しやすくなる場合がある。なお、本実施形態のような構造に限らず、例えば、図２０および図２１を参照して後述するように、基板収容ケース２の壁部と基板収容ケース３の壁部とが重ならない構造であってもよい。
【０１４９】
本実施形態では、壁部２１ａと壁部３１ａとが重なる部分において、壁部３１ａが外側に位置する構造となっている。本実施形態のような構造に限らず、壁部２１ａが外側に位置する構造であってもよいが、本実施形態の構造とすることにより、壁部２１ａと第壁部３１ａとが重なる部分の隙間から、不正部材の侵入がなされた場合であっても回路基板４００Ａへのアクセスを困難にすることができる場合がある。図１９はその説明図である。
【０１５０】
第一副制御部４００を構成する回路基板４００Ａは、演出の制御を進行する制御部である点で、演出の制御を進行しない第二副制御部５００を構成する回路基板５００Ａよりも、不正行為の対象になり易い場合がある。例えば、本実施形態では、第一副制御部４００および第二副制御部５００は、遊技者の有利度に関わる機能を有していないが、例えば、第一副制御部４００が遊技者の有利度に関わる機能を有している場合、図示したような細い金属線等の不正部材Ｚを侵入させ、第一副制御部４００の通信をショートさせる等の不正行為が行われる場合がある。しかし、本実施形態のような構成とすることにより、遊技者の有利度に関わる機能を有する基板に不正部材Ｚの侵入がなされることを防ぐことが可能となる。すなわち、壁部３１ａが外側に位置していることにより、図１９に示すように不正部材Ｚの挿入方向は、基板収容ケース３の内部に向かう方向になり、基板収容ケース２の内部へ向かわせることが困難な場合があり、回路基板４００Ａへのアクセスを困難にすることができる場合がある。このように、本実施形態では、不正部材Ｚの進入がなされた場合であっても不正部材Ｚが基板収容ケース３側に誘導される構造となっており、特に、第一副制御部４００への不正に対する対策が必要とされる環境下で有利な構造である。
【０１５１】
また、本実施形態では、基板収容ケース２に壁部２１ｂが設けられ、基板収容ケース３に壁部３１ｂが設けられている。壁部２１ｂは回路基板４００Ａの基板面方向Ｘ１と交差する方向に延びる壁部であり、本実施形態の場合、基板面方向Ｘ１と直交する方向に延びている。壁部２１ｂは本実施形態の場合、ケース部材２１に一体的に形成され、ケース部材２１から突出するように形成されている。壁部２１ｂは、図１３（ａ）からも理解されるように、開口部２３から見てコネクタ４３１の背後に沿って位置している。本実施形態の場合、壁部２１ｂは開口部２３と、その長手方向（上下方向）に重なって開口部２３を塞ぐように延設されている。
【０１５２】
同様に壁部３１ｂは回路基板５００Ａの基板面方向Ｘ２と交差する方向に延びる壁部であり、本実施形態の場合、基板面方向Ｘ２と直交する方向に延びている。壁部３１ｂは本実施形態の場合、ケース部材３１に一体的に形成され、ケース部材３１から突出するように形成されている。壁部３１ｂは、図１３（ｂ）からも理解されるように、開口部３３から見てコネクタ５３１の背後に位置している。本実施形態の場合、壁部３１ｂは開口部３３と、その長手方向（上下方向）に重なって開口部３３を塞ぐように延設されている。
【０１５３】
このような構造とすることにより、図１９に示すように基板収容ケース２と基板収容ケース３との接続箇所の隙間から不正部材Ｚの侵入がなされた場合であっても、侵入経路が曲折されるので、回路基板４００Ａや回路基板５００Ａへのアクセスを困難にすることができる。
【０１５４】
なお、本実施形態のような構造に限らず、例えば、両方の基板収容ケース２および３に壁部２１ｂ、３１ｂを設けず、いずれか一方の基板収容ケースにのみこのような壁部を設ける構造であってもよく、また、いずれの基板収容ケースにもこのような壁部を設けない構造であってもよい。
【０１５５】
なお、本実施形態では壁部２１ｂ、３１ｂの先端が回路基板４００Ａ、５００Ａと接触しない構造となっているが、壁部２１ｂ、３１ｂの先端を回路基板４００Ａ、５００Ａのボード部に接触させ、基板に実装された部品へのアクセスを不可能にする構造であってもよい。
【０１５６】
＜基板収容ケースの変形例＞
上記の例では、壁部２１ａと壁部３１ａとが重なる構成としたが、重ならない構成も採用可能である。図２０および図２１はその一例を示している。図２０（ａ）は本例の基板収容ケース２および３の接続状態を示す図、図２０（ｂ）は図２０（ａ）のＢ−Ｂ線断面図、図２１は図２０（ｂ）のｂ部拡大図である。
【０１５７】
開口部２３の周壁を構成する壁部２１ａと、開口部３３の周壁を構成する壁部３１ａとは、互いの端面が対向して配置され、互いに重ならない構成としている。本例の場合、壁部２１ａの端部がＬ字型に曲折され、その端縁がコネクタ４３１に当接して隙間をなくし、不正部材の侵入が困難な構成としている。同様に、壁部３１ａの端部がＬ字型に曲折され、その端縁がコネクタ５３１に当接して隙間をなくし、不正部材の侵入が困難な構成としている。
【０１５８】
このように開口部２３、３３を画定する各壁部が重ならない構成もよく、また、コネクタ４３１または５３１の一部露出していてもよく、逆に、コネクタ４３１または５３１の一部または全周を、開口部２３、３３を画定する各壁部で覆う構成であってもよい。
【０１５９】
＜基板収容ケースの接続方向の他の例＞
上記の例では、回路基板４００Ａおよび回路基板５００Ａの接続方向を基板面方向と平行な方向としたが、交差する方向（例えば直交する方向）であってもよい。図２２および図２３はその一例を示している。
【０１６０】
図２２（ａ）は基板収容ケース３をケース部材３１側から見た図であり、図２２（ｃ）は基板収容ケース３を端部３Ａ側から見た図である。図２２（ｂ）は基板収容ケース２をケース部材２１側から見た図であり、図２２（ｄ）は基板収容ケース２を端部２Ａ側から見た図である。上記の例と同じまたは対応する構成には同じ符号を付して説明を省略する。基板収容ケース２は上記の例と同じ構成であり、基板収容ケース３の構成が異なっている。
【０１６１】
本例の場合、基板収容ケース３は、開口部３３が端部３Ａではなく、基板収容ケース３の側面（ケース部材３２に対するケース部材３１の対向面）に形成されており、コネクタ５３１は回路基板５００Ａのボード部の法線方向に接続方向が向くように実装されている。
【０１６２】
図２３（ａ）および（ｂ）は基板収容ケース２および３の接続態様を示している。基板収容ケース２および３は互いに交差するように接続されており、本実施形態の場合、Ｌ字型に接続されている。なお、この例の場合、固定部材１は用いられない。
【０１６３】
本例のように、２つの基板収容ケースにおける開口部の位置は特に限定されることなく、例えば、基板収容ケースの側面（基板実装面と垂直な面）同士であってもよく、基板収容ケースの側面と表面（基板実装面と平行な面）であってもよく、また、収容ケースの表面同士（または裏面同士）であってもよい。回路基板毎に基板収容ケースを設け、これらを接続可能な構造であって、いずれか一方のみを取り外すことが可能な構造であれば、上述した効果を奏することが可能である。
【０１６４】
また、基板収容ケース２は、樹脂製のケースをメッキ塗装したケースとし、基板収容ケース３は透明な樹脂製のケースとしてもよい。基板収容ケース２の表面が鏡面状になるので、点検作業では、基板収容ケース３に収容された基板の電子部品のうち手前から視認困難な部品を基板収容ケース２の表面に反射させて視認できる場合がある。なお、基板収容ケース２は、金属製のケース（表面が鏡面状）としてもよい。点検作業を容易にしつつ静電気対策が可能になる場合がある。
【０１６５】
また、基板収容ケース２を当面な樹脂製のケースとし、基板収容ケース３をメッキ塗装または金属製のケースとしてもよい。
【０１６６】
＜基板の接続構造の他の例＞
上記の例では、第一副制御部４００を構成する回路基板４００Ａと第二副制御部５００を構成する回路基板５００Ａとを接続部ＣＮで接続する構成例を説明したが、接続の対象となる回路基板はこれらに限られず、どの回路基板であってもよい。
【０１６７】
ハーネス７ａのように基板収容ケース２および３に跨るハーネスの長さは、基板収容ケース２および３を適切に接続した状態でなければ接続できない程度の短い長さに設定されてもよい。これは、回路基板４００Ａと回路基板５００Ａとの接続が確実にできているかどうかを外部から視認容易にするとともに、回路基板４００Ａと回路基板５００Ａとの接続を安定させるという効果を奏することが可能である。なお、基板収容ケース２および３に跨るハーネスは、ハーネス７ａのように回路基板４００Ａと回路基板５００Ａとを接続しないハーネスでもよいし、接続するハーネスでもよい。基板収容ケース２および３に跨るハーネスが無い構成であってもよい。
【０１６８】
＜カバー部材の構造＞
カバー部材４〜６について図２４〜図３５を参照して説明する。図２４は、固定部材１とそれに取り付けられた複数のカバー部材４〜６、メダルセレクタ１７０を示す図である。本実施形態では、固定部材１の下部に扉回路基板６００を取り付けることが可能な構造となっており、扉回路基板６００はメダルセレクタ１７０から伸びている複数の配線（ハーネスＨ１、Ｈ２）を接続することが可能な構造となっている。
【０１６９】
メダルセレクタ１７０は、遊技媒体であるメダルの投入を検知し、正規なものであるか否かを判別する装置であり、装置毎交換される不正行為が行われる場合がある。本図で示す通り、メダルセレクタ１７０からは複数本のハーネスＨ１、Ｈ２が伸びており、複数本のハーネスＨ１、Ｈ２を扉回路基板６００に対して左右に離間した２箇所に分けて接続している。このような構造とすることにより、１箇所で接続した場合よりも、メダルセレクタ１７０を扉回路基板６００から取り外すために必要な手間が多くなるため、メダルセレクタ１７０の不正な交換を防ぎやすくなる。
【０１７０】
本実施形態では、ハーネスＨ１およびＨ２を扉回路基板６００から取り外すためには、カバー部材４〜６を順に取り外すことが必要とされる。本実施形態におけるカバー部材４は痕跡を残すことなく取り外すことが可能な構造となっているが、これに限らず、例えば、カバー部材４を取り外した際に取り外した痕跡が残るような構造であってもよい。また、本実施形態では、ハーネスＨ１およびハーネスＨ２をそれぞれ１本の電線として図示しているが、これに限らず、例えば、ハーネスＨ１およびＨ２の一方が複数の電線で構成されていてもよく、また、ハーネスＨ１およびＨ２の両方が複数の電線で構成されたものでもよい。
【０１７１】
本実施形態のメダルセレクタ１７０は、その内部に回路基板を備え、この回路基板が２本のハーネスＨ１、Ｈ２を介して扉回路基板６００と接続される構成となっている。本実施形態のメダルセレクタ１７０は、光学式センサを２つ備える構成となっており、メダルが通過すると、２つのセンサが順に検知する構成となっている。扉回路基板６００と接続される２本のハーネスＨ１、Ｈ２は、それぞれ、対応する光学式センサの信号線を含んでいてもよく、そのうちの一方はメダルブロッカを駆動するソレノイドの信号線を含んでいてもよいが、これに限られるわけではない。
【０１７２】
図３５（ａ）および（ｂ）はメダルセレクタ１７０の回路基板１７４とハーネスＨ１、Ｈ２との接続例を示している。メダルセレクタ１７０の不正な交換方法としては、ハーネスＨ１、Ｈ２とメダルセレクタ１７０とを分離して交換することも想定される。図３５（ａ）および（ｂ）の例では、いずれも、回路基板１７４をケース１７５に収容し、ケース１７５に設けた開口部１７５ａを通してハーネスＨ１、Ｈ２を外部に引き出している。開口部１７５ａはハーネスＨ１、Ｈ２毎に設けてもよい。回路基板１７４をケース１７５に収容することで、外部から回路基板１７４へアクセス困難となり、ハーネスＨ１、Ｈ２と回路基板１７４との分離が困難になる場合がある。
【０１７３】
図３５（ａ）の例は、ハーネスＨ１、Ｈ２の一方端部に共通のコネクタ１７３が設けられ、他方端部に個別のコネクタ１７１、１７２が設けられた例を示している。コネクタ１７１、１７２は扉回路基板６００のコネクタ６０２、６０３との抜き差しが可能である。コネクタ１７３は回路基板１７４のコネクタ１７４ａとの抜き差しが可能である。図３５（ｂ）の例は、ハーネスＨ１、Ｈ２の一方端部は回路基板１７４に半田付け等で固定され、コネクタが介在していない例を示している。メダルセレクタ１７０の不正な交換防止の点で見ると、図３５（ｂ）の構成例の方がハーネスＨ１、Ｈ２から回路基板１７４を外してメダルセレクタ１７０を交換される可能性が低い場合がある。
【０１７４】
なお、コネクタ１７１とコネクタ１７２とは、その形状または構造が同一であっても異なるものであってもよい。
【０１７５】
図２５は、固定部材１、扉回路基板６００、カバー部材４〜６の分解斜視図である。本実施形態の場合、カバー部材５は、コネクタ６０２に接続されたコネクタ１７１を覆うことで外部からのアクセスを困難とし、コネクタ１７１がコネクタ６０２から取り外されることを防ぐ部材である。カバー部材６は、コネクタ６０３に接続されたコネクタ１７２を覆うことで外部からのアクセスを困難とし、コネクタ１７２がコネクタ６０３から取り外されることを防ぐ部材である。本実施形態の場合、カバー部材５および６は二部材構成であり、カバー部材５は本体５０と固定部５１を備え、カバー部材６は本体６０と固定部６１を備えている。
【０１７６】
各カバー部材４〜６の取付け手順の例は以下の通りである。すなわち、始めに固定部５１が固定部材１に取り付けられ、続いて扉回路基板６００が固定部材１に取り付けられる。固定部５１に本体５０が取付けられ、かつ、破断ねじで固定される。破断ねじは固定後に頭部が破断されて工具により取り外すことが困難となるねじである。つぎに、固定部６１および本体６０が固定部材１に取り付けられ、両者が破断ねじで固定される。その後、カバー部材４が取付けられる。カバー部材４は、カバー部材５０の背面側を覆う部分４２と、カバー部材６０の背面側を覆う部分４３とを有しており、カバー部材４を取り外さなければカバー部材５および６を取り外すことが構造的に困難な場合がある。
【０１７７】
扉回路基板６００は、メダルセレクタ１７０と主制御部３００とを中継する中継基板として機能することができる。扉回路基板６００は、また、スタートレバー１３５のセンサのセンサと主制御部３００とを中継する中継基板として機能させてもよい。
【０１７８】
扉回路基板６００のボード部６０１（電子部品を実装していない基板単体。）は、左右方向に長い矩形状を有しており、扉回路基板６００は図１０に示した取付部１５に収容されるようにして固定部材１に固定される。カバー部材４は扉回路基板６００の背面を全体に渡って覆い、その左右の両端部の取付部４１において、固定部材１の取付部１６ａに固定される。本実施形態の場合、取付部４１は取付部１６ａに螺着するねじが挿通するねじ孔である。
【０１７９】
本体５０および固定部５１の構成について図２６を参照して説明する。図２６（ａ）は本体５０の背面図であり、図２６（ｂ）は本体５０の底面図である。図２６（ｃ）は固定部５１の背面図であり、図２６（ｄ）は固定部５１の平面図である。
【０１８０】
本体５０はコネクタ１７１を覆うカバー部５０ａを含む。本実施形態の場合、コネクタ１７１の挿抜方向はボード部６０１の法線方向である。カバー部５０ａはコネクタ１７１に対してスロットマシン１００の背面側に位置しており、したがって、カバー部５０ａの壁部の一部は、コネクタ１７１の挿抜方向で抜き側に位置しており、また、他の一部はコネクタ１７１の上方や左右の側方に位置している。固定部材１に対するカバー部材４の取付状態において、扉回路基板６００は、カバー部５０ａと取付部１５の底面１５ａ（図１０等参照）との間に位置する。
【０１８１】
本体５０は破断ねじが螺合するねじ孔５０ｃを二か所備えており、ねじ孔５０ｃの形成部位とカバー部５０ａとを接続する部分５０ｄは比較的脆弱な部分となっている。不正行為として、部分５０ｄをレーザ等で切断することも想定される。本体５０はその正面側へ突出する係合部５０ｂを有している。係合部５０ｂは先端部に爪状のフックを有している。
【０１８２】
固定部５１は、破断ねじが螺合するねじ孔５１ｃを二か所備えており、これらはねじ孔５０ｃに対応する位置に配置されている。固定部５１ｃは、また、係合部５０ｂが係合する係合部５１ｂを有している。係合部５１ｂは本実施形態の場合、係合部５０ｂが挿入されて係合する係合孔である。固定部５１はその正面側へ突出する係合部５１ｄを有している。係合部５１ｄは先端部に爪状のフックを有しており、固定部材１の取付部１６Ａと係合する。取付部１６Ａには、本実施形態の場合、係合部１６ｂが形成されている（図１０等参照）。係合部１６ｂは係合部５１ｄが挿入されて係合する係合孔である。
【０１８３】
固定部５１は、また、他の部分から上方へ延びる壁部５１ａを備える。壁部５１ａは、固定部材１に対するカバー部材５の取付状態において、扉回路基板６００と、取付部１５の底面１５ａ（図１０等参照）との間に位置する。したがって、扉回路基板６００を取り外さずにカバー部材５を取り外す困難な場合がある。係合部５１ｄは壁部５１ａから正面側に突出している。
【０１８４】
固定部５１は、また、他の部分から背面側へ延びる壁部５１ｅを備える。壁部５１ｅは、固定部材１に対するカバー部材４の取付状態において、扉回路基板６００の下方に位置する。
【０１８５】
本体６０および固定部６１の構成について図２７を参照して説明する。図２７（ａ）は本体６０の背面図であり、図２７（ｂ）は本体６０の底面図である。図２７（ｃ）は固定部６１の背面図であり、図２７（ｄ）は固定部５１の平面図である。
【０１８６】
本体６０はコネクタ１７２を覆うカバー部６０ａを含む。本実施形態の場合、コネクタ１７２の挿抜方向はボード部６０１の法線方向である。カバー部６０ａはコネクタ１７２に対してスロットマシン１００の背面側に位置しており、したがって、カバー部６０ａの壁部の一部は、コネクタ１７２の挿抜方向で抜き側に位置しており、また、他の一部はコネクタ１７２の上方や左右の側方に位置している。固定部材１に対するカバー部材６の取付状態において、扉回路基板６００は、カバー部６０ａと取付部１５の底面１５ａ（図１０等参照）との間に位置する。
【０１８７】
本体６０は破断ねじが螺合するねじ孔６０ｃを二か所備えており、ねじ孔６０ｃの形成部位とカバー部６０ａとを接続する部分６０ｄは比較的脆弱な部分となっている。不正行為として、部分６０ｄをレーザ等で切断することも想定される。本体６０はその正面側へ突出する係合部６０ｂを有している。係合部６０ｂは先端部に爪状のフックを有している。
【０１８８】
固定部６１は、破断ねじが螺合するねじ孔６１ｃを二か所備えており、これらはねじ孔６０ｃに対応する位置に配置されている。固定部６１ｃは、また、係合部６０ｂが係合する係合部６１ｂを有している。係合部６１ｂは本実施形態の場合、係合部６０ｂが挿入されて係合する係合孔である。固定部６１はその正面側へ突出する係合部６１ｄを有している。係合部６１ｄは先端部に爪状のフックを有しており、固定部材１の取付部１６Ｂと係合する。取付部１６Ｂには、本実施形態の場合、係合部１６ｃが形成されている（図１０等参照）。係合部１６ｃは係合部６１ｄが挿入されて係合する係合孔である。
【０１８９】
本実施形態の場合、固定部６１は、固定部５１の壁部５１ａに相当する部分を備えておらず、固定部材１に対するカバー部材５の取付状態において、その全体が扉回路基板６００の下方に位置する。換言すると、カバー部材５は、固定部５１が扉回路基板６００の正面側に回り込んだ部分を有しているのに対して、カバー部材６は扉回路基板６００の正面側に回り込んだ部分は有しておらず、異なる構造となっている。つまり、カバー部材６はカバー部材５よりもシンプルな構造としているが、壁部５１ａに相当する部分を備えていてもよい。
【０１９０】
図２８〜図３４を参照して、カバー部材４〜６の取付態様や不正行為の例について説明する。
【０１９１】
図２８は、参考として、固定部材１に扉回路基板６００を取り付け、そのコネクタ６０２、６０３にメダルセレクタ１７０のハーネスＨ１、Ｈ２のコネクタ１７１、１７２を接続した態様を示している。ハーネスＨ１、Ｈ２が扉回路基板６００の異なる位置に接続されていることが分る。本図に示す状態であれば、コネクタ６０２、６０３と、コネクタ１７１、１７２とを分離することでメダルセレクタ１７０の交換を行うことが可能である。なお、同図から取付部１６Ａの係合部１６ｂが扉回路基板６００の、同図で裏側に位置し、取付部１６Ｂの係合部１６ｃが扉回路基板６００の下側に位置していることが理解される。
【０１９２】
図２９は、固定部材１に扉回路基板６００が取り付けられており、そのコネクタ６０２、６０３にメダルセレクタ１７０のハーネスＨ１、Ｈ２のコネクタ１７１、１７２が接続されており、また、カバー部材５および６が固定部材１に取り付けられた態様を示している。カバー部材５は、扉回路基板６００よりも先に、固定部５１が係合部５１ｄと係合部１６ｂとの係合により取付部１６Ａに取り付けられ、扉回路基板６００の取付後に本体５０が係合部５０ｂと係合部５１ｂとの係合により固定部５１に取り付けられ、更に、ねじ孔５０ｃ、５１ｃに破断ねじが螺着される。カバー部材６は、扉回路基板６００の取付後に、固定部６１が係合部６１ｄと係合部１６ｃとの係合により取付部１６Ｂに取り付けられ、本体６０が係合部６０ｂと係合部６１ｂとの係合により固定部６１に取り付けられ、更に、ねじ孔６０ｃ、６１ｃに破断ねじが螺着される。
【０１９３】
図２９の状態であれば、カバー部材５および６の存在により、コネクタ１７１、１７２の接続部分にアクセスすることができないため、ハーネスＨ１、Ｈ２を切断してしまう等、痕跡が残り易い方法以外で、メダルセレクタ１７０の不正な交換を行うことは困難となる。そのため、メダルセレクタ１７０を不正に交換しようとする場合には、カバー部材５および６を取り外すことを考えることになる。
【０１９４】
図３０は、カバー部材５の本体５０の脆弱部分５０ｄを破断する不正行為により、カバー部５０ａが取り外された状態を模式的に示している。壁部５１ａは、扉回路基板６００の、同図で裏側に位置したままである。本体５０と固定部５１とは破断ネジによって取り付けられているため、脆弱部分５０ｄを破断したとしても、本体５０の下部は固定部５１に固定されたまま残ることになる。つまり、本体５０、固定部５１の全体を取り外さなければ、不正行為の痕跡が残ることになる。壁部５１ａが存在するため、本体５０、固定部５１の全体を取り外すためには、扉回路基板６００を固定部材１から取り外すことが必要となる。この結果、カバー部材６も取り外すことが必要となる。
【０１９５】
図３１は、カバー部材５の本体５０の脆弱部分５０ｄを破断する不正行為により、カバー部５０ａが取り外され、また、カバー部材６の本体６０の脆弱部分６０ｄを破断する不正行為により、カバー部６０ａが取り外された態様を模式的に示している。この状態でも、本体５０、６０の下部は固定部５１、６１に固定されたまま残っているため、コネクタ１７１、１７２をコネクタ６０２、６０３から取り外ことは可能であるものの、ハーネスＨ１、Ｈ２を抜き取りにくい場合があり、メダルセレクタ１７０を交換困難な場合がある。カバー部材５および６に対する不正行為の痕跡を取り除くためには、残っている部分を全て取り除く必要があり、そのためには扉回路基板６００を取り外す必要がある。
【０１９６】
図３２は、図３１の状態から、残っている部分を全て取り除くことは諦め、破断ねじを切断する等して、本体５０、６０の下部を固定部５１、６１から取り除いた状態を示している。この状態ではメダルセレクタ１７０の交換を行うことが可能だが、破断ねじの切断の痕跡が残り、かつ、正常な状態に復元することは極めて困難である。
【０１９７】
図３３は、図３２の状態から、取り除いた本体５０、６０を破断箇所で接着して更に固定部５１、６１に接着して正常状態に復元しようとした例を例示しており、図３４は図３３のｃ部およびｄ部の拡大図である。各カバー部材４および５を新たなものに交換しない限り、不正行為でメダルセレクタ１７０の交換を行ったあとはこのような状態となる。不正により破断された脆弱部位５０ｄ、６０ｄには、破断の痕跡５０ｄ’、６０ｄ’が残るため、不正行為が行われたことを確認することができる。遊技場の担当者は不正行為が行われたスロットマシン１００だけを遊技停止状態にすることができる。
【０１９８】
なお、本実施形態では、メダルセレクタ１７０から伸びる２つのハーネスＨ１、Ｈ２が共通の扉回路基板６００（ボード部６０１）に接続される構成を説明したが、これに限らず、例えば、２つのハーネスＨ１、Ｈ２のそれぞれが異なる回路基板に接続される構成としてもよい。但し、本実施形態のようにハーネスＨ１、Ｈ２が共通の回路基板に接続される構成とすることにより、いずれか一方の接続部のみに対する不正行為を防ぎやすい場合がある。
【０１９９】
また、本実施形態では、メダルセレクタ１７０から伸びるハーネスを２本としているが、これに限らず、ハーネスの数は何本であってもよい。カバー部材はハーネスの本数に対応した数だけ用意してもよいし、一部のハーネスのコネクタはカバー部材で覆われないものであってもよい。また、各ハーネスに含まれる電線は信号線であっても電源線であってもよく、電線の用途は上述したものに限られるわけではない。
【０２００】
また、本実施形態では、２つのハーネスＨ１、Ｈ２が回路基板１７４を有するメダルセレクタ１７０から伸びる例を用いて説明したが、不正な交換を防止する対象となる装置は、これに限らず、例えば、スタートレバーやストップボタン等の回路部品および回路基板を有する一の装置から伸びる２つのハーネスに対して適用してもよく、不正行為が行われやすい部品であれば上述した効果を奏することができる。
【０２０１】
また、本実施形態では、カバー部材５および６を２つの部品から構成される二部材構成のものとしたが、これに限らず、１つの部品のみで構成されるものであってもよく、また、３つ以上の部品から構成されるものであってもよく、コネクタの接続箇所をカバーすることが可能なものであればよい。また、カバー部材５とカバー部材６とで、構成部品数が異なっていてもよい。
【０２０２】
また、本実施形態では、カバー部材５およびカバー部材６が互いに異なる形状または構造としたが、これに限らず、例えば、これが同一の形状または構造であるものであってもよい。但し、カバー部材５およびカバー部材６が互いに異なる形状または構造を有していることにより、同一である場合よりも、取り外しを個別に検討しなければならないだけ、不正行為に要する時間が長くなり、不正を行おうとしている者にとって、犯行時間が長くなる等のリスクが高まるため、不正行為の抑止効果が期待できる。
【０２０３】
＜適用可能な遊技台の例＞
上記実施形態では本発明をスロットマシンに適用した例を例示したが、本発明はぱちんこ機や封入式遊技機といったスロットマシン以外の遊技台にも適用可能である。
【０２０４】
＜実施形態のまとめ＞
Ａ−１．上記実施形態の遊技台(例えば100)は、
第一の回路基板(例えば400A)と、
前記第一の回路基板を収容する第一の基板収容ケース(例えば2)と、
第二の回路基板(例えば500A)と、
前記第二の回路基板を収容する第二の基板収容ケース(例えば3)と、
前記第一の回路基板と、前記第二の回路基板とを電気的に接続する接続部(例えばCN)と、を備えた遊技台であって、
前記接続部は、前記第一の回路基板に実装された第一のコネクタ(例えば431)と、前記第二の回路基板に実装された第二のコネクタ(例えば531)と、を備え、
前記第一のコネクタおよび前記第二のコネクタは、互いに嵌合可能なコネクタであり、
前記第一の基板収容ケースは、前記第一のコネクタを露出させる第一の開口部(例えば23)を有するものであり、
前記第二の基板収容ケースは、前記第二のコネクタを露出させる第二の開口部(例えば33)を有するものであり、
前記第一のコネクタおよび前記第二のコネクタは、前記第一の基板収容ケースに前記第一の回路基板が、前記第二の基板収容ケースに前記第二の回路基板が、それぞれ収容された状態で、互いに嵌合可能である(例えば図17)、
ことを特徴とする。
【０２０５】
この構成によれば、前記接続部により前記第一の回路基板および前記第二の回路基板を着脱でき、しかも、各回路基板が個々の基板収容ケースに収容されるので、基板収容ケースに収容された状態で回路基板を着脱でき、回路基板の交換性を確保することができる場合がある。前記第一のコネクタと前記第二のコネクタとは、ハーネスを介在せずに嵌合により接続されるので、比較的ノイズが乗り易いハーネスが存在せず、ノイズの影響を低減することができる場合がある。
【０２０６】
Ａ−２．上記実施形態の遊技台(例えば100)は、
前記第一の基板収容ケースと、前記第二の基板収容ケースと、を固定可能な固定手段(例えば1)を備え、
前記固定手段は、前記第一の基板収容ケースおよび前記第二の基板収容ケースのうち、いずれか一方の基板収容ケースを固定した状態で、他方の基板収容ケースを取り外すことが可能なものである(例えば図15)、
ことを特徴とする。
【０２０７】
この構成によれば、一方の基板収容ケースを固定した状態で他方の基板収容ケースを回路基板と共に取り外せる場合があり、他方の基板収容ケースを手で保持する必要がないので、該一方の基板収容ケースを取り外す際に安全に取り外しやすい場合がある。
【０２０８】
Ａ−３．上記実施形態の遊技台(例えば100)は、
前記第一の基板収容ケースは、前記第一の開口部を形成する第一の壁部(例えば21a)を有するものであり、
前記第二の基板収容ケースは、前記第二の開口部を形成する第二の壁部(例えば31a)を有するものであり、
前記第一の壁部は、前記第一のコネクタの周囲に配設されたものであり、
前記第二の壁部は、前記第二のコネクタの周囲に配設されたものであり、
前記第一の基板収容ケースに収容された前記第一の回路基板の前記第一のコネクタと、前記第二の基板収容ケースに収容された前記第二の回路基板の前記第二のコネクタと、を接続した状態において、前記第一の壁部と前記第二の壁部と重なり合う(例えば図17)、
ことを特徴とする。
【０２０９】
この構成によれば、接続状態における前記開口部の隙間を狭めるあるいは曲折させることができる場合があり、前記接続部を介して収容されている回路基板に対する不正を行う経路を塞ぎやすい場合がある。
【０２１０】
Ａ−４．上記実施形態の遊技台(例えば100)は、
前記第一の回路基板は、情報を記憶する記憶装置(例えば406)が備えられた回路基板であり、
前記第一の開口部は、前記第二の開口部よりも小さい開口部である(例えば図17)、
ことを特徴とする。
【０２１１】
この構成によれば、前記記憶装置を備えて不正の対象となり易い前記第一の回路基板への不正の経路を塞ぎやすい場合がある。
【０２１２】
Ａ−５．上記実施形態の遊技台(例えば100)は、
前記第一の基板収容ケースは、前記第一の回路基板の基板面方向と交差する方向に延びる第三の壁部(例えば21b)を有するものであり、
前記第三の壁部は、前記第一の開口部から見て、前記第一のコネクタの背後に沿って位置している、
ことを特徴とする。
【０２１３】
この構成によれば、接続状態において、前記第一の開口部の隙間から不正部材を差し込もうとしても、前記第三の壁部で阻まれる場合があり、回路基板への不正アクセスを防ぎやすい場合がある。
【０２１４】
Ａ−６．以下の構成も採用可能である。
【０２１５】
各基板収容ケースは、第一のケース部材(例えば21,31)と、第二のケース部材(例えば22,327)とを備え、前記第一のケース部材と前記第二のケース部材との間に回路基板の収容空間が形成されてもよい。各開口部は、前記第一のケース部材により一部が形成され、前記第二のケース部材により残りの部分が形成されてもよく、前記第一のケース部材または前記第二のケース部材により全部が形成されてもよい。
【０２１６】
前記第一の基板収容ケースが第一の端部(例えば21A)を含み、前記第二の基板収容ケースが前記第一の端部に対向する第二の端部(例えば31A)を含み、前記第一の開口部が前記第一の端部に設けられ、前記第二の開口部が前記第二の端部に設けられてもよい。
【０２１７】
前記第一の回路基板の基板面方向(例えばX1)が第一の方向であり、前記第二の回路基板の基板面方向(例えばX2)が前記第一の方向と平行であり、前記接続部は、前記第一の回路基板と前記第二の回路基板とを前記第一の方向と平行な方向に接続するものであってもよい。前記第一の回路基板と前記第二の回路基板とが同一平面上に位置する構成であってもよい。
【０２１８】
前記第一の回路基板は第一の端縁を有し、前記第二の回路基板は第二の端縁を有していてもよい。前記第一の端縁は前記第二の端縁と対向する端縁であってもよい。前記第一のコネクタは前記第一の端縁に隣接して配置されてもよい。前記第二のコネクタは前記第二の端縁に隣接して配置されてもよい。
【０２１９】
前記第一のコネクタおよび前記第二のコネクタは基板対基板コネクタであってもよい。前記第一のコネクタおよび前記第二のコネクタの一方は、一方向に配列された複数の電気接点を含み、他方は前記複数の電気接点に対応する複数の電気接点を有していてもよい。電気接点の一方はピンであり、他方はピンが挿入される孔であってもよい。該一方向は、前記第一の回路基板の端縁に沿う方向であってもよく、または、前記第二の回路基板の端縁に沿う方向であってもよい。
【０２２０】
前記第一の回路基板の基板面方向が第一の方向であり、前記第二の回路基板の基板面方向が前記第一の方向と交差する第二の方向であり、前記接続部は、前記第一の回路基板と前記第二の回路基板とを前記第一の方向または前記第二の方向と平行な方向に接続するものであってもよい。前記第一の方向と前記第二の方向とは互いに直交する方向であってもよい。
【０２２１】
前記第一のコネクタは前記第一の開口部から外部に突出する部分を有していないものでもよく、前記第二のコネクタも前記第二の開口部から外部に突出する部分を有していないものであってもよい。前記第一のコネクタは前記第一の開口部から外部に突出する部分を有するものでもよく、前記第二のコネクタは前記第二の開口部から外部に突出する部分を有していないものであってもよい。前記第一のコネクタは前記第一の開口部から外部に突出する部分を有していないものでもよく、前記第二のコネクタは前記第二の開口部から外部に突出する部分を有するものであってもよい。前記第一のコネクタは前記第一の開口部から外部に突出する部分を有するものでもよく、前記第二のコネクタも前記第二の開口部から外部に突出する部分を有するものであってもよい。
【０２２２】
接続状態において、前記第一のコネクタおよび前記第二のコネクタは、前記第一の基板収容ケースおよび前記第二の基板収容ケースに囲まれて露出しないものであってもよい。
【０２２３】
前記第三の壁部は前記基板面方向と直交していてもよい。前記第一の基板収容ケースは天壁と底壁とを含み、前記第三の壁部は該天壁または該底壁の一方から他方へ向かって延びる壁部であってもよい。前記第三の壁部は前記第一のコネクタの長手方向に沿って配置されてもよく、前記第三の壁部の全長は前記第一のコネクタの全長以上であってもよく、前記第一の開口部の全長以上であってもよい。
【０２２４】
前記第二の基板収容ケースは、前記第二の回路基板の基板面方向と交差する方向に延びる第四の壁部を有するものであり、前記第四の壁部は、前記第二の開口部から見て、前記第二のコネクタの背後に位置していてもよい。前記第四の壁部は前記基板面方向と直交していてもよい。前記第二の基板収容ケースは天壁と底壁とを含み、前記第四の壁部は該天壁または該底壁の一方から他方へ向かって延びる壁部であってもよい。前記第四の壁部は前記第二のコネクタの長手方向に沿って配置されてもよく、前記第四の壁部の全長は前記第二のコネクタの全長以上であってもよく、前記第二の開口部の全長以上であってもよい。
【０２２５】
前記第一の回路基板は前記記憶装置に記憶されてプログラムを実行するＣＰＵを備えたものであってもよい。前記第二の回路基板は情報を記憶する記憶装置が備えられた回路基板であってもよいし、該記憶装置を備えていない回路基板であってもよい。前記第二の回路基板はＣＰＵを備えていない回路基板であってもよい。
【０２２６】
前記第二の回路基板は前記第一の回路基板よりも外部デバイスが接続されるコネクタが多いものであってもよい。前記第一の基板収容ケースには前記第一の回路基板を冷却する冷却装置(例えば7)が設けられていてもよい。冷却装置はファンであってもよい。
【０２２７】
Ｂ−１．上記実施形態の遊技台(例えば100)は、
第一の回路手段(例えば174)を備えた装置(例えば170)と、
第二の回路手段(例えば600)と、
前記第一の回路手段と前記第二の回路手段とを電気的に接続する複数の配線(例えばH1,H2)と、
複数のカバー部材(例えば5,6)と、
を備えた遊技台であって、
前記複数の配線は、第一の配線(例えばH1)と、該第一の配線とは異なる第二の配線(例えばH2)と、を含むものであり、
前記第一の配線は、第一のコネクタ(例えば171)を備えたものであり、
前記第二の配線は、第二のコネクタ(例えば172)を備えたものであり、
前記第二の回路手段は、前記第一のコネクタと嵌合する第三のコネクタ(例えば602)と、前記第二のコネクタと嵌合する第四のコネクタ(例えば603)と、を備えたものであり、
前記複数のカバー部材は、第一のカバー部材(例えば5)と、該第一のカバー部材とは異なる第二のカバー部材(例えば6)と、を含むものであり、
前記第一のカバー部材は、前記第三のコネクタから前記第一のコネクタが取り外されることを防ぐカバー部材であり、
前記第二のカバー部材は、前記第四のコネクタから前記第二のコネクタが取り外されることを防ぐカバー部材であることを特徴とする。
【０２２８】
この構成によれば、前記第一のカバー部材および前記第二のカバー部材の双方を取り外さなければ、前記装置を交換することができないため、その正規品を正規品でない装置に交換されづらくすることができる場合がある。
【０２２９】
Ｂ−２．上記実施形態の遊技台(例えば100)は、
前記第二の回路手段は、前記第三のコネクタおよび前記第四のコネクタの双方が実装される回路基板(例えば601)を有するものである、
ことを特徴とする。
【０２３０】
この構成によれば、前記第三のコネクタおよび前記第四のコネクタが別々の回路基板に実装されている場合よりも、不正の痕跡が残り易い場合があり、正規品を正規品でない装置に交換されづらくすることができる場合がある。
【０２３１】
Ｂ−３．上記実施形態の遊技台(例えば100)は、
前記第二の回路手段は、回路取付部材(例えば1)に取り付けられており、
前記第一のカバー部材は、第一の部分(例えば50a)を有し、
前記第二のカバー部材は、第二の部分(例えば60a)を有し、
前記第二の回路手段は、前記回路取付部材と前記第一の部分および前記第二の部分との間に位置し、
前記第一のカバー部材または前記第二のカバー部材の少なくとも一方の部材は、前記第二の回路手段と前記回路取付部材との間に位置する第三の部分(例えば51a)を有する、
ことを特徴とする。
【０２３２】
この構成によれば、一方のカバー部材を不正に取り外した痕跡を消すためには他方のカバー部材も不正に取り外す必要がある場合があり、不正行為の痕跡が大きく残り易い場合がある。
【０２３３】
Ｂ−４．上記実施形態の遊技台(例えば100)は、
投入された遊技媒体が正規なものであるか否かを判別するセレクタ(例えば170)を備え、
前記装置は、前記セレクタである、
ことを特徴とする。
【０２３４】
この構成によれば、セレクタの交換によるクレジットカウントの不正を防ぎやすい場合がある。
【０２３５】
Ｂ−５．上記実施形態の遊技台(例えば100)は、
前記装置は、前記第一の回路手段を収容するケース(例えば175)を備え、
前記ケースは、前記複数の配線が通過する少なくとも一つの開口部(例えば175a)を有する、
ことを特徴とする。
【０２３６】
この構成によれば、前記装置側で前記複数の配線を取り外すことが容易でない場合があり、正規品を正規品でない装置に交換されづらくすることができる場合がある。
【０２３７】
Ｂ−６．以下の構成も採用可能である。
【０２３８】
前記第一のカバー部材と前記第二のカバー部材とは構造が異なる部材であってもよい。前記第一のカバー部材と前記第二のカバー部材との一方は他方よりも取り外しが難しい部材であってもよい。
【０２３９】
前記複数のカバー部材は、前記第二の回路手段を覆う第三のカバー部材(例えば4)を含んでもよい。前記第三のカバー部材は、前記第一のカバー部材および前記第二のカバー部材をカバーする部分(例えば42,43)を含む部材であってもよい。
【０２４０】
前記第一の配線と前記第二の配線とは長さが異なる配線であってもよい。前記第三のコネクタと前記第四のコネクタとは左右に離間していてもよいし、上下に離間していてもよい。前記回路基板の長手方向の中央よりも一方端部側に前記第三のコネクタが配置され、他方端部側に前記第四のコネクタが配置されていてもよい。
【０２４１】
前記第一のカバー部材は複数の部材(例えば50,51)を係合して構成されてもよい。前記第二のカバー部材は複数の部材(例えば60,61)を係合して構成されてもよい。
【０２４２】
前記第一のカバー部材は、前記第一のコネクタを囲む形状を有していてもよい。前記第一のカバー部材は、前記第三のコネクタに対する前記第一のコネクタの挿抜方向に位置する壁部を備えた部材であってもよい。前記第二のカバー部材は、前記第二のコネクタを囲む形状を有していてもよい。前記第二のカバー部材は、前記第四のコネクタに対する前記第一のコネクタの挿抜方向に位置する壁部を備えた部材であってもよい。
【０２４３】
前記回路基板の一面(例えば601a)は前記回路取付部材に対向し、前記第三のコネクタおよび前記第四のコネクタは前記回路基板の反対面に実装されていてもよい。前記第一のカバー部材は前記回路取付部材に係合部で係合してもよいし、破断ねじで固定されてもよい。前記第二のカバー部材は前記回路取付部材に係合部で係合してもよいし、破断ねじで固定されてもよい。前記破断ねじは、締結後に取り外しが不可能になるネジであってもよく、例えば、締結後に頭部が破壊されるねじであってもよい。前記複数の部材を破断ねじで互いに固定してもよい。
【０２４４】
前記第一の配線は、前記第一の回路手段に半田付け等によって着脱不能に固定されていてもよいし、コネクタを介して着脱可能に取り付けられていてもよい。前記第二の配線は、前記第一の回路手段に半田付け等によって着脱不能に固定されていてもよいし、コネクタを介して着脱可能に取り付けられていてもよい。
【０２４５】
Ｃ．その他
上記実施形態で示したそれぞれの部品の形状、取付位置、取付順序等は一例であって、適宜設計可能である。
【図１】
2018019924.tif 000003
【図２】
2018019924.tif 000004
【図３】
2018019924.tif 000005
【図４】
2018019924.tif 000006
【図５】
2018019924.tif 000007
【図６】
2018019924.tif 000008
【図７】
2018019924.tif 000009
【図８】
2018019924.tif 000010
【図９】
2018019924.tif 000011
【図１０】
2018019924.tif 000012
【図１１】
2018019924.tif 000013
【図１２】
2018019924.tif 000014
【図１３】
2018019924.tif 000015
【図１４】
2018019924.tif 000016
【図１５】
2018019924.tif 000017
【図１６】
2018019924.tif 000018
【図１７】
2018019924.tif 000019
【図１８】
2018019924.tif 000020
【図１９】
2018019924.tif 000021
【図２０】
2018019924.tif 000022
【図２１】
2018019924.tif 000023
【図２２】
2018019924.tif 000024
【図２３】
2018019924.tif 000025
【図２４】
2018019924.tif 000026
【図２５】
2018019924.tif 000027
【図２６】
2018019924.tif 000028
【図２７】
2018019924.tif 000029
【図２８】
2018019924.tif 000030
【図２９】
2018019924.tif 000031
【図３０】
2018019924.tif 000032
【図３１】
2018019924.tif 000033
【図３２】
2018019924.tif 000034
【図３３】
2018019924.tif 000035
【図３４】
2018019924.tif 000036
【図３５】
2018019924.tif 000037